(57)【要約】【課題】昇降機の設備計画を提案する際、建築物に昇降機を組み込んだ状態を視覚的に分かりやすく表示できるＢＩＭシステム、サーバ装置、端末装置、方法及びプログラムを提供することを課題とする。【解決手段】ＢＩＭシステムは、サーバ装置及び端末装置に通信可能に接続している。サーバ装置は、昇降機のＢＩＭパーツを、パーツ情報を用いて作成し、作成された昇降機のＢＩＭパーツを端末装置へ送信する。端末装置は、サーバ装置から送信されたＢＩＭパーツを、建築物のＢＩＭモデルに組み込んだ統合ＢＩＭモデルを作成し、作成された統合ＢＩＭモデルを含むレイアウト画面を生成し、生成されたレイアウト画面を表示部に表示させる。端末装置は、昇降機のリニューアルに際しては、リニューアル前後の統合ＢＩＭモデルを並べて配置したレイアウト画面を生成し表示部に表示させる。【選択図】図２
2014010635.tif 000002
【特許請求の範囲】
【請求項１】
制御部と記憶部とを少なくとも備えたサーバ装置、及び、制御部と記憶部と表示部とを少なくとも備えた端末装置、を通信可能に接続したＢＩＭシステムであって、
前記サーバ装置の前記記憶部は、
建築物のＢＩＭモデルに組込可能な昇降機のＢＩＭパーツを作成するためのパーツ情報を記憶するパーツ情報記憶手段、
を備え、
前記サーバ装置の前記制御部は、
前記端末装置から送信される作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを前記端末装置へ送信する情報提供手段と、
を備え、
前記端末装置の前記記憶部は、
前記ＢＩＭモデルを記憶するＢＩＭモデル記憶手段、
を備え、
前記端末装置の前記制御部は、
前記情報提供手段により前記サーバ装置から送信された前記ＢＩＭパーツを、前記ＢＩＭモデル記憶手段に記憶された前記ＢＩＭモデルに組み込んだ統合ＢＩＭモデルを作成する統合モデリング手段と、
前記統合モデリング手段により作成された前記統合ＢＩＭモデルを含むレイアウト画面を生成する画面生成手段と、
前記画面生成手段により生成された前記レイアウト画面を前記表示部に表示させる画面表示手段と、
を備え、
前記昇降機モデリング手段は、
前記昇降機のリニューアルに際し、当該リニューアル前の前記ＢＩＭパーツと、当該リニューアル後の前記ＢＩＭパーツとを作成し、
前記統合モデリング手段は、
前記リニューアル前の前記ＢＩＭパーツを、前記ＢＩＭモデル記憶手段に記憶された前記ＢＩＭモデルに組み込んだ当該リニューアル前の前記統合ＢＩＭモデルと、前記リニューアル後の前記ＢＩＭパーツを、前記ＢＩＭモデル記憶手段に記憶された前記ＢＩＭモデルに組み込んだ当該リニューアル後の前記統合ＢＩＭモデルとを作成し、
前記画面生成手段は、
前記リニューアル前の前記統合ＢＩＭモデルと前記リニューアル後の前記統合ＢＩＭモデルとを並べて配置したレイアウト画面を生成することを特徴とするＢＩＭシステム。
【請求項２】
前記端末装置の前記制御部は、
前記画面表示手段により表示された前記レイアウト画面上で前記リニューアル後の前記ＢＩＭパーツを変更する変更手段と、
を更に備え、
前記画面生成手段は、
前記変更手段により変更された前記リニューアル後の前記ＢＩＭパーツを含む前記レイアウト画面を生成することを特徴とする請求項１に記載のＢＩＭシステム。
【請求項３】
前記昇降機モデリング手段は、
前記端末装置から送信される作成条件に基づいた納期、価格、あるいは、嗜好性に応じて前記リニューアル後の前記ＢＩＭパーツを作成することを特徴とする請求項１又は請求項２に記載のＢＩＭシステム。
【請求項４】
前記サーバ装置の前記制御部は、
前記端末装置から送信される識別情報に応じて、利用可能である、前記パーツ情報記憶手段に記憶された前記パーツ情報の範囲を設定する利用可能範囲設定手段、
を更に備えたことを特徴とする請求項１から３のうちいずれか一項に記載のＢＩＭシステム。
【請求項５】
前記端末装置の前記制御部は、
前記ＢＩＭモデル記憶手段に記憶された前記ＢＩＭモデル、及び、前記情報提供手段により前記サーバ装置から送信される前記ＢＩＭパーツに基づいて、前記統合ＢＩＭモデル内の設置位置から前記リニューアル前の前記ＢＩＭパーツを搬出するための搬出経路、及び、前記統合ＢＩＭモデル内の設置位置まで前記リニューアル後の前記ＢＩＭパーツを搬入するための搬入経路を生成する経路生成手段を更に備え、
前記画面生成手段は、
前記リニューアル前の前記統合ＢＩＭモデルと前記経路生成手段により生成された前記搬出経路及び前記搬入経路とを含む前記レイアウト画面を生成することを特徴とする請求項１から４のうちいずれか一項に記載のＢＩＭシステム。
【請求項６】
前記端末装置の前記制御部は、
前記ＢＩＭモデル記憶手段に記憶された前記ＢＩＭモデル、及び、前記情報提供手段により前記サーバ装置から送信される前記ＢＩＭパーツに基づいて、前記リニューアル前の前記ＢＩＭパーツが表す昇降機を前記リニューアル後の前記ＢＩＭパーツが表す昇降機にリニューアルする際のリニューアル工事計画を作成する計画作成手段を更に備え、
前記画面生成手段は、
前記計画作成手段により作成された前記リニューアル工事計画を含む前記レイアウト画面を生成することを特徴とする請求項１から５のうちいずれか一項に記載のＢＩＭシステム。
【請求項７】
前記端末装置の前記制御部は、
前記ＢＩＭモデル記憶手段に記憶された前記ＢＩＭモデル、及び、前記情報提供手段により前記サーバ装置から送信される前記ＢＩＭパーツに基づいて、前記リニューアル前の前記ＢＩＭパーツが表す昇降機を前記リニューアル後の前記ＢＩＭパーツが表す昇降機にリニューアルする際の注意箇所を検証する検証手段を更に備え、
前記画面生成手段は、
前記検証手段により検証された前記注意箇所を含む前記レイアウト画面を生成することを特徴とする請求項１から６のうちいずれか一項に記載のＢＩＭシステム。
【請求項８】
制御部と記憶部とを少なくとも備えたサーバ装置、及び、制御部と表示部とを少なくとも備えた端末装置、を通信可能に接続したＢＩＭシステムであって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記サーバ装置の前記制御部は、
前記端末装置から送信される作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、
前記統合モデリング手段により作成された前記統合ＢＩＭモデルを前記端末装置へ送信する情報提供手段と、
を備え、
前記端末装置の前記制御部は、
前記情報提供手段により前記サーバ装置から送信された前記統合ＢＩＭモデルを含むレイアウト画面を生成する画面生成手段と、
前記画面生成手段により生成された前記レイアウト画面を前記表示部に表示させる画面表示手段と、
を備え、
前記昇降機モデリング手段は、
前記昇降機のリニューアルに際し、当該リニューアル前の前記ＢＩＭパーツと、当該リニューアル後の前記ＢＩＭパーツとを作成し、
前記統合モデリング手段は、
前記リニューアル前の前記ＢＩＭパーツを、前記ＢＩＭモデル記憶手段に記憶された前記ＢＩＭモデルに組み込んだ当該リニューアル前の前記統合ＢＩＭモデルと、前記リニューアル後の前記ＢＩＭパーツを、前記ＢＩＭモデル記憶手段に記憶された前記ＢＩＭモデルに組み込んだ当該リニューアル後の前記統合ＢＩＭモデルとを作成し、
前記画面生成手段は、
前記リニューアル前の前記統合ＢＩＭモデルと前記リニューアル後の前記統合ＢＩＭモデルとを並べて配置したレイアウト画面を生成することを特徴とするＢＩＭシステム。
【請求項９】
制御部と記憶部と表示部を少なくとも備えたＢＩＭシステムであって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部は、
利用者により入力される作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、
前記統合モデリング手段により作成された前記統合ＢＩＭモデルを含むレイアウト画面を生成する画面生成手段と、
前記画面生成手段により生成された前記レイアウト画面を前記表示部に表示させる画面表示手段と、
を備え、
前記昇降機モデリング手段は、
前記昇降機のリニューアルに際し、当該リニューアル前の前記ＢＩＭパーツと、当該リニューアル後の前記ＢＩＭパーツとを作成し、
前記統合モデリング手段は、
前記リニューアル前の前記ＢＩＭパーツを、前記ＢＩＭモデル記憶手段に記憶された前記ＢＩＭモデルに組み込んだ当該リニューアル前の前記統合ＢＩＭモデルと、前記リニューアル後の前記ＢＩＭパーツを、前記ＢＩＭモデル記憶手段に記憶された前記ＢＩＭモデルに組み込んだ当該リニューアル後の前記統合ＢＩＭモデルとを作成し、
前記画面生成手段は、
前記リニューアル前の前記統合ＢＩＭモデルと前記リニューアル後の前記統合ＢＩＭモデルとを並べて配置したレイアウト画面を生成することを特徴とするＢＩＭシステム。
【請求項１０】
表示部を少なくとも備えた端末装置に通信可能に接続された、制御部と記憶部とを少なくとも備えたサーバ装置であって、
前記記憶部は、
建築物のＢＩＭモデルに組込可能な昇降機のＢＩＭパーツを作成するためのパーツ情報を記憶するパーツ情報記憶手段、
を備え、
前記制御部は、
前記端末装置から送信される作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを前記端末装置へ送信する情報提供手段と、
を備え、
前記昇降機モデリング手段は、
前記昇降機のリニューアルに際し、当該リニューアル前の前記ＢＩＭパーツと、当該リニューアル後の前記ＢＩＭパーツとを作成し、
前記端末装置において、前記リニューアル前の前記ＢＩＭパーツが前記ＢＩＭモデルに組み込まれた当該リニューアル前の統合ＢＩＭモデルと、前記リニューアル後の前記ＢＩＭパーツが前記ＢＩＭモデルに組み込まれた当該リニューアル後の統合ＢＩＭモデルとを並べて配置したレイアウト画面が前記表示部にて表示されることを特徴とするサーバ装置。
【請求項１１】
表示部を少なくとも備えた端末装置に通信可能に接続された、制御部と記憶部とを少なくとも備えたサーバ装置であって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部は、
前記端末装置から送信される作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、
前記統合モデリング手段により作成された前記統合ＢＩＭモデルを前記端末装置へ送信する情報提供手段と、
を備え、
前記昇降機モデリング手段は、
前記昇降機のリニューアルに際し、当該リニューアル前の前記ＢＩＭパーツと、当該リニューアル後の前記ＢＩＭパーツとを作成し、
前記統合モデリング手段は、
前記リニューアル前の前記ＢＩＭパーツを、前記ＢＩＭモデル記憶手段に記憶された前記ＢＩＭモデルに組み込んだ当該リニューアル前の前記統合ＢＩＭモデルと、前記リニューアル後の前記ＢＩＭパーツを、前記ＢＩＭモデル記憶手段に記憶された前記ＢＩＭモデルに組み込んだ当該リニューアル後の前記統合ＢＩＭモデルとを作成し、
前記端末装置において、前記リニューアル前の前記統合ＢＩＭモデルと前記リニューアル後の前記統合ＢＩＭモデルとを並べて配置したレイアウト画面が前記表示部にて表示されることを特徴とするサーバ装置。
【請求項１２】
サーバ装置に通信可能に接続された、制御部と記憶部と表示部とを少なくとも備えた端末装置であって、
前記記憶部は、
建築物のＢＩＭモデルを記憶するＢＩＭモデル記憶手段、
を備え、
前記制御部は、
前記端末装置より送信した作成条件に対応する、前記ＢＩＭモデルに組込可能な昇降機のＢＩＭパーツを、前記サーバ装置から受信し、当該ＢＩＭパーツを前記ＢＩＭモデル記憶手段に記憶された前記ＢＩＭモデルに組み込んだ統合ＢＩＭモデルを作成する統合モデリング手段と、
前記統合モデリング手段により作成された前記統合ＢＩＭモデルを含むレイアウト画面を生成する画面生成手段と、
前記画面生成手段により生成された前記レイアウト画面を前記表示部に表示させる画面表示手段と、
を備え、
前記統合モデリング手段は、
前記昇降機のリニューアルに際し、当該リニューアル前の前記ＢＩＭパーツと当該リニューアル後の前記ＢＩＭパーツとを、前記サーバ装置から受信し、前記リニューアル前の前記ＢＩＭパーツを、前記ＢＩＭモデル記憶手段に記憶された前記ＢＩＭモデルに組み込んだ当該リニューアル前の前記統合ＢＩＭモデルと、前記リニューアル後の前記ＢＩＭパーツを、前記ＢＩＭモデル記憶手段に記憶された前記ＢＩＭモデルに組み込んだ当該リニューアル後の前記統合ＢＩＭモデルとを作成し、
前記画面生成手段は、
前記リニューアル前の前記統合ＢＩＭモデルと前記リニューアル後の前記統合ＢＩＭモデルとを並べて配置したレイアウト画面を生成することを特徴とする端末装置。
【請求項１３】
サーバ装置に通信可能に接続された、制御部と表示部とを少なくとも備えた端末装置であって、
前記制御部は、
前記端末装置より送信した作成条件に対応する、建築物のＢＩＭモデルに組込可能な昇降機のＢＩＭパーツを前記ＢＩＭモデルに組み込んだ統合ＢＩＭモデルを、前記サーバ装置から受信し、当該統合ＢＩＭモデルを含むレイアウト画面を生成する画面生成手段と、
前記画面生成手段により生成された前記レイアウト画面を前記表示部に表示させる画面表示手段と、
を備え、
前記画面生成手段は、
前記昇降機のリニューアルに際し、当該リニューアル前の前記ＢＩＭパーツを前記ＢＩＭモデルに組み込んだ当該リニューアル前の前記統合ＢＩＭモデルと、当該リニューアル後の前記ＢＩＭパーツを前記ＢＩＭモデルに組み込んだ当該リニューアル後の前記統合ＢＩＭモデルとを、前記サーバ装置から受信し、前記リニューアル前の前記統合ＢＩＭモデルと前記リニューアル後の前記統合ＢＩＭモデルとを並べて配置したレイアウト画面を生成することを特徴とする端末装置。
【請求項１４】
制御部と記憶部とを少なくとも備えたサーバ装置、及び、制御部と記憶部と表示部とを少なくとも備えた端末装置、を通信可能に接続したＢＩＭシステムにおいて実行される方法であって、
前記サーバ装置の前記記憶部は、
建築物のＢＩＭモデルに組込可能な昇降機のＢＩＭパーツを作成するためのパーツ情報を記憶するパーツ情報記憶手段、
を備え、
前記端末装置の前記記憶部は、
前記ＢＩＭモデルを記憶するＢＩＭモデル記憶手段、
を備え、
前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、
前記サーバ装置の前記制御部において実行される、前記昇降機モデリングステップにて作成された前記ＢＩＭパーツを前記端末装置へ送信する情報提供ステップと、
前記端末装置の前記制御部において実行される、前記情報提供ステップにて前記サーバ装置から送信された前記ＢＩＭパーツを、前記ＢＩＭモデル記憶手段に記憶された前記ＢＩＭモデルに組み込んだ統合ＢＩＭモデルを作成する統合モデリングステップと、
前記端末装置の前記制御部において実行される、前記統合モデリングステップにて作成された前記統合ＢＩＭモデルを含むレイアウト画面を生成する画面生成ステップと、
前記端末装置の前記制御部において実行される、前記画面生成ステップにて生成された前記レイアウト画面を前記表示部に表示させる画面表示ステップと、
を含み、
前記昇降機のリニューアルに際し、
前記昇降機モデリングステップでは、
当該リニューアル前の前記ＢＩＭパーツと、当該リニューアル後の前記ＢＩＭパーツとを作成し、
前記統合モデリングステップでは、
前記リニューアル前の前記ＢＩＭパーツを、前記ＢＩＭモデル記憶手段に記憶された前記ＢＩＭモデルに組み込んだ当該リニューアル前の前記統合ＢＩＭモデルと、前記リニューアル後の前記ＢＩＭパーツを、前記ＢＩＭモデル記憶手段に記憶された前記ＢＩＭモデルに組み込んだ当該リニューアル後の前記統合ＢＩＭモデルとを作成し、
前記画面生成ステップでは、
前記リニューアル前の前記統合ＢＩＭモデルと前記リニューアル後の前記統合ＢＩＭモデルとを並べて配置したレイアウト画面を生成することを特徴とする方法。
【請求項１５】
制御部と記憶部とを少なくとも備えたサーバ装置、及び、制御部と表示部とを少なくとも備えた端末装置、を通信可能に接続したＢＩＭシステムにおいて実行される方法であって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、
前記サーバ装置の前記制御部において実行される、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、
前記サーバ装置の前記制御部において実行される、前記統合モデリングステップにて作成された前記統合ＢＩＭモデルを前記端末装置へ送信する情報提供ステップと、
前記端末装置の前記制御部において実行される、前記情報提供ステップにて前記サーバ装置から送信された前記統合ＢＩＭモデルを含むレイアウト画面を生成する画面生成ステップと、
前記端末装置の前記制御部において実行される、前記画面生成ステップにて生成された前記レイアウト画面を前記表示部に表示させる画面表示ステップと、
を含み、
前記昇降機のリニューアルに際し、
前記昇降機モデリングステップでは、
当該リニューアル前の前記ＢＩＭパーツと、当該リニューアル後の前記ＢＩＭパーツとを作成し、
前記統合モデリングステップでは、
前記リニューアル前の前記ＢＩＭパーツを、前記ＢＩＭモデル記憶手段に記憶された前記ＢＩＭモデルに組み込んだ当該リニューアル前の前記統合ＢＩＭモデルと、前記リニューアル後の前記ＢＩＭパーツを、前記ＢＩＭモデル記憶手段に記憶された前記ＢＩＭモデルに組み込んだ当該リニューアル後の前記統合ＢＩＭモデルとを作成し、
前記画面生成ステップでは、
前記リニューアル前の前記統合ＢＩＭモデルと前記リニューアル後の前記統合ＢＩＭモデルとを並べて配置したレイアウト画面を生成することを特徴とする方法。
【請求項１６】
制御部と記憶部と表示部を少なくとも備えたＢＩＭシステムにおいて実行される方法であって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部において実行される、
利用者により入力される作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、
前記統合モデリングステップにて作成された前記統合ＢＩＭモデルを含むレイアウト画面を生成する画面生成ステップと、
前記画面生成ステップにて生成された前記レイアウト画面を前記表示部に表示させる画面表示ステップと、
を含み、
前記昇降機のリニューアルに際し、
前記昇降機モデリングステップでは、
当該リニューアル前の前記ＢＩＭパーツと、当該リニューアル後の前記ＢＩＭパーツとを作成し、
前記統合モデリングステップでは、
前記リニューアル前の前記ＢＩＭパーツを、前記ＢＩＭモデル記憶手段に記憶された前記ＢＩＭモデルに組み込んだ当該リニューアル前の前記統合ＢＩＭモデルと、前記リニューアル後の前記ＢＩＭパーツを、前記ＢＩＭモデル記憶手段に記憶された前記ＢＩＭモデルに組み込んだ当該リニューアル後の前記統合ＢＩＭモデルとを作成し、
前記画面生成ステップでは、
前記リニューアル前の前記統合ＢＩＭモデルと前記リニューアル後の前記統合ＢＩＭモデルとを並べて配置したレイアウト画面を生成する
ことを特徴とする方法。
【請求項１７】
表示部を少なくとも備えた端末装置に通信可能に接続された、制御部と記憶部とを少なくとも備えたサーバ装置において実行される方法であって、
前記記憶部は、
建築物のＢＩＭモデルに組込可能な昇降機のＢＩＭパーツを作成するためのパーツ情報を記憶するパーツ情報記憶手段、
を備え、
前記制御部において実行される、
前記端末装置から送信される作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを前記端末装置へ送信する情報提供ステップと、
を含み、
前記昇降機のリニューアルに際し、
前記昇降機モデリングステップでは、
当該リニューアル前の前記ＢＩＭパーツと、当該リニューアル後の前記ＢＩＭパーツとを作成し、
前記端末装置において、前記リニューアル前の前記ＢＩＭパーツが前記ＢＩＭモデルに組み込まれた当該リニューアル前の統合ＢＩＭモデルと、前記リニューアル後の前記ＢＩＭパーツが前記ＢＩＭモデルに組み込まれた当該リニューアル後の統合ＢＩＭモデルを並べて配置したレイアウト画面が前記表示部にて表示されることを特徴とする方法。
【請求項１８】
表示部を少なくとも備えた端末装置に通信可能に接続された、制御部と記憶部とを少なくとも備えたサーバ装置において実行される方法であって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部において実行される、
前記端末装置から送信される作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、
前記統合モデリングステップにて作成された前記統合ＢＩＭモデルを前記端末装置へ送信する情報提供ステップと、
を含み、
前記昇降機のリニューアルに際し、
前記昇降機モデリングステップでは、
当該リニューアル前の前記ＢＩＭパーツと、当該リニューアル後の前記ＢＩＭパーツとを作成し、
前記統合モデリングステップでは、
前記リニューアル前の前記ＢＩＭパーツを、前記ＢＩＭモデル記憶手段に記憶された前記ＢＩＭモデルに組み込んだ当該リニューアル前の前記統合ＢＩＭモデルと、前記リニューアル後の前記ＢＩＭパーツを、前記ＢＩＭモデル記憶手段に記憶された前記ＢＩＭモデルに組み込んだ当該リニューアル後の前記統合ＢＩＭモデルとを作成し、
前記端末装置において、前記リニューアル前の前記統合ＢＩＭモデルと前記リニューアル後の前記統合ＢＩＭモデルとを並べて配置したレイアウト画面が前記表示部にて表示されることを特徴とする方法。
【請求項１９】
サーバ装置に通信可能に接続された、制御部と記憶部と表示部とを少なくとも備えた端末装置において実行される方法であって、
前記記憶部は、
建築物のＢＩＭモデルを記憶するＢＩＭモデル記憶手段、
を備え、
前記制御部において実行される、
前記端末装置より送信した作成条件に対応する、前記ＢＩＭモデルに組込可能な昇降機のＢＩＭパーツを、前記サーバ装置から受信し、当該ＢＩＭパーツを前記ＢＩＭモデル記憶手段に記憶された前記ＢＩＭモデルに組み込んだ統合ＢＩＭモデルを作成する統合モデリングステップと、
前記統合モデリングステップにて作成された前記統合ＢＩＭモデルを含むレイアウト画面を生成する画面生成ステップと、
前記画面生成ステップにて生成された前記レイアウト画面を前記表示部に表示させる画面表示ステップと、
を含み、
前記昇降機のリニューアルに際し、
前記統合モデリングステップでは、
当該リニューアル前の前記ＢＩＭパーツと当該リニューアル後の前記ＢＩＭパーツとを、前記サーバ装置から受信し、前記リニューアル前の前記ＢＩＭパーツを、前記ＢＩＭモデル記憶手段に記憶された前記ＢＩＭモデルに組み込んだ当該リニューアル前の前記統合ＢＩＭモデルと、前記リニューアル後の前記ＢＩＭパーツを、前記ＢＩＭモデル記憶手段に記憶された前記ＢＩＭモデルに組み込んだ当該リニューアル後の前記統合ＢＩＭモデルとを作成し、
前記画面生成ステップは、
前記リニューアル前の前記統合ＢＩＭモデルと前記リニューアル後の前記統合ＢＩＭモデルとを並べて配置したレイアウト画面を生成することを特徴とする方法。
【請求項２０】
サーバ装置に通信可能に接続された、制御部と表示部とを少なくとも備えた端末装置において実行される方法であって、
前記制御部において実行される、
前記端末装置より送信した作成条件に対応する、建築物のＢＩＭモデルに組込可能な昇降機のＢＩＭパーツを前記ＢＩＭモデルに組み込んだ統合ＢＩＭモデルを、前記サーバ装置から受信し、当該統合ＢＩＭモデルを含むレイアウト画面を生成する画面生成ステップと、
前記画面生成ステップにて生成された前記レイアウト画面を前記表示部に表示させる画面表示ステップと、
を含み、
前記昇降機のリニューアルに際し、
前記画面生成ステップでは、
当該リニューアル前の前記ＢＩＭパーツを前記ＢＩＭモデルに組み込んだ当該リニューアル前の前記統合ＢＩＭモデルと、当該リニューアル後の前記ＢＩＭパーツを前記ＢＩＭモデルに組み込んだ当該リニューアル後の前記統合ＢＩＭモデルとを、前記サーバ装置から受信し、前記リニューアル前の前記統合ＢＩＭモデルと前記リニューアル後の前記統合ＢＩＭモデルとを並べて配置したレイアウト画面を生成することを特徴とする方法。
【請求項２１】
制御部と記憶部と表示部を少なくとも備えたＢＩＭシステムに実行させるためのプログラムであって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部において、
利用者により入力される作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、
前記統合モデリングステップにて作成された前記統合ＢＩＭモデルを含むレイアウト画面を生成する画面生成ステップと、
前記画面生成ステップにて生成された前記レイアウト画面を前記表示部に表示させる画面表示ステップと、
を実行させ、
前記昇降機のリニューアルに際し、
前記昇降機モデリングステップでは、
当該リニューアル前の前記ＢＩＭパーツと、当該リニューアル後の前記ＢＩＭパーツとを作成し、
前記統合モデリングステップでは、
前記リニューアル前の前記ＢＩＭパーツを、前記ＢＩＭモデル記憶手段に記憶された前記ＢＩＭモデルに組み込んだ当該リニューアル前の前記統合ＢＩＭモデルと、前記リニューアル後の前記ＢＩＭパーツを、前記ＢＩＭモデル記憶手段に記憶された前記ＢＩＭモデルに組み込んだ当該リニューアル後の前記統合ＢＩＭモデルとを作成し、
前記画面生成ステップでは、
前記リニューアル前の前記統合ＢＩＭモデルと前記リニューアル後の前記統合ＢＩＭモデルとを並べて配置したレイアウト画面を生成することを特徴とするプログラム。
【請求項２２】
表示部を少なくとも備えた端末装置に通信可能に接続された、制御部と記憶部とを少なくとも備えたサーバ装置に実行させるためのプログラムであって、
前記記憶部は、
建築物のＢＩＭモデルに組込可能な昇降機のＢＩＭパーツを作成するためのパーツ情報を記憶するパーツ情報記憶手段、
を備え、
前記制御部において、
前記端末装置から送信される作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを前記端末装置へ送信する情報提供ステップと、
を実行させ、
前記昇降機のリニューアルに際し、
前記昇降機モデリングステップでは、
当該リニューアル前の前記ＢＩＭパーツと、当該リニューアル後の前記ＢＩＭパーツとを作成し、
前記端末装置において、前記リニューアル前の前記ＢＩＭパーツが前記ＢＩＭモデルに組み込まれた当該リニューアル前の統合ＢＩＭモデルと、前記リニューアル後の前記ＢＩＭパーツが前記ＢＩＭモデルに組み込まれた当該リニューアル後の統合ＢＩＭモデルを並べて配置したレイアウト画面が前記表示部にて表示されることを特徴とするプログラム。
【請求項２３】
表示部を少なくとも備えた端末装置に通信可能に接続された、制御部と記憶部とを少なくとも備えたサーバ装置に実行させるためのプログラムであって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部において、
前記端末装置から送信される作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、
前記統合モデリングステップにて作成された前記統合ＢＩＭモデルを前記端末装置へ送信する情報提供ステップと、
を実行させ、
前記昇降機のリニューアルに際し、
前記昇降機モデリングステップでは、
当該リニューアル前の前記ＢＩＭパーツと、当該リニューアル後の前記ＢＩＭパーツとを作成し、
前記統合モデリングステップでは、
前記リニューアル前の前記ＢＩＭパーツを、前記ＢＩＭモデル記憶手段に記憶された前記ＢＩＭモデルに組み込んだ当該リニューアル前の前記統合ＢＩＭモデルと、前記リニューアル後の前記ＢＩＭパーツを、前記ＢＩＭモデル記憶手段に記憶された前記ＢＩＭモデルに組み込んだ当該リニューアル後の前記統合ＢＩＭモデルとを作成し、
前記端末装置において、前記リニューアル前の前記統合ＢＩＭモデルと前記リニューアル後の前記統合ＢＩＭモデルとを並べて配置したレイアウト画面が前記表示部にて表示されることを特徴とするプログラム。
【請求項２４】
サーバ装置に通信可能に接続された、制御部と記憶部と表示部とを少なくとも備えた端末装置に実行させるためのプログラムであって、
前記記憶部は、
建築物のＢＩＭモデルを記憶するＢＩＭモデル記憶手段、
を備え、
前記制御部において、
前記端末装置より送信した作成条件に対応する、前記ＢＩＭモデルに組込可能な昇降機のＢＩＭパーツを、前記サーバ装置から受信し、当該ＢＩＭパーツを前記ＢＩＭモデル記憶手段に記憶された前記ＢＩＭモデルに組み込んだ統合ＢＩＭモデルを作成する統合モデリングステップと、
前記統合モデリングステップにて作成された前記統合ＢＩＭモデルを含むレイアウト画面を生成する画面生成ステップと、
前記画面生成ステップにて生成された前記レイアウト画面を前記表示部に表示させる画面表示ステップと、
を実行させ、
前記昇降機のリニューアルに際し、
前記統合モデリングステップでは、
当該リニューアル前の前記ＢＩＭパーツと当該リニューアル後の前記ＢＩＭパーツとを、前記サーバ装置から受信し、前記リニューアル前の前記ＢＩＭパーツを、前記ＢＩＭモデル記憶手段に記憶された前記ＢＩＭモデルに組み込んだ当該リニューアル前の前記統合ＢＩＭモデルと、前記リニューアル後の前記ＢＩＭパーツを、前記ＢＩＭモデル記憶手段に記憶された前記ＢＩＭモデルに組み込んだ当該リニューアル後の前記統合ＢＩＭモデルとを作成し、
前記画面生成ステップは、
前記リニューアル前の前記統合ＢＩＭモデルと前記リニューアル後の前記統合ＢＩＭモデルとを並べて配置したレイアウト画面を生成することを特徴とするプログラム。
【請求項２５】
サーバ装置に通信可能に接続された、制御部と表示部とを少なくとも備えた端末装置に実行させるためのプログラムであって、
前記制御部において、
前記端末装置より送信した作成条件に対応する、建築物のＢＩＭモデルに組込可能な昇降機のＢＩＭパーツを前記ＢＩＭモデルに組み込んだ統合ＢＩＭモデルを、前記サーバ装置から受信し、当該統合ＢＩＭモデルを含むレイアウト画面を生成する画面生成ステップと、
前記画面生成ステップにて生成された前記レイアウト画面を前記表示部に表示させる画面表示ステップと、
を実行させ、
前記昇降機のリニューアルに際し、
前記画面生成ステップでは、
当該リニューアル前の前記ＢＩＭパーツを前記ＢＩＭモデルに組み込んだ当該リニューアル前の前記統合ＢＩＭモデルと、当該リニューアル後の前記ＢＩＭパーツを前記ＢＩＭモデルに組み込んだ当該リニューアル後の前記統合ＢＩＭモデルとを、前記サーバ装置から受信し、前記リニューアル前の前記統合ＢＩＭモデルと前記リニューアル後の前記統合ＢＩＭモデルとを並べて配置したレイアウト画面を生成することを特徴とするプログラム。
【発明の詳細な説明】
【技術分野】
【０００１】
本発明の実施形態は、ＢＩＭシステム、サーバ装置、端末装置、方法及びプログラムに関する。
【背景技術】
【０００２】
従来、昇降機メーカの担当者は、昇降機を備える建築物を設計する客先に対して、平面図や断面図等の二次元図面及びカタログや納入実績等の写真を使用して、昇降機の設備計画を提案していた。そこで、近年、昇降機の設備計画を提案する際、建築物に昇降機を組み込んだ状態を視覚的に分かりやすく表示する技術が求められていた。
【先行技術文献】
【特許文献】
【０００３】
【特許文献１】特開２０１０−２６２５８０号公報
【発明の概要】
【発明が解決しようとする課題】
【０００４】
本実施形態が解決しようとする課題は、昇降機の設備計画を提案する際、建築物に昇降機を組み込んだ状態を視覚的に分かりやすく表示することができるＢＩＭシステム、サーバ装置、端末装置、方法及びプログラムを提供することである。
【課題を解決するための手段】
【０００５】
実施形態のＢＩＭシステムは、制御部と記憶部とを少なくとも備えたサーバ装置、及び、制御部と記憶部と表示部とを少なくとも備えた端末装置、を通信可能に接続したＢＩＭシステムである。前記サーバ装置の前記記憶部は、パーツ情報記憶手段、を備える。パーツ情報記憶手段は、建築物のＢＩＭモデルに組込可能な昇降機のＢＩＭパーツを作成するためのパーツ情報を記憶する。前記サーバ装置の前記制御部は、昇降機モデリング手段と、情報提供手段と、を備える。昇降機モデリング手段は、前記端末装置から送信される作成条件に対応する前記ＢＩＭパーツを、前記パーツ情報記憶手段に記憶された前記パーツ情報を用いて作成する。情報提供手段は、前記昇降機モデリング手段により作成された前記ＢＩＭパーツを前記端末装置へ送信する。前記端末装置の前記記憶部は、前記ＢＩＭモデルを記憶するＢＩＭモデル記憶手段、を備える。前記端末装置の前記制御部は、統合モデリング手段と、画面生成手段と、画面表示手段と、を備える。統合モデリング手段は、前記情報提供手段により前記サーバ装置から送信された前記ＢＩＭパーツを、前記ＢＩＭモデル記憶手段に記憶された前記ＢＩＭモデルに組み込んだ統合ＢＩＭモデルを作成する。画面生成手段は、前記統合モデリング手段により作成された前記統合ＢＩＭモデルを含むレイアウト画面を生成する。画面表示手段は、前記画面生成手段により生成された前記レイアウト画面を前記表示部に表示させる。そして、前記昇降機モデリング手段は、前記昇降機のリニューアルに際し、当該リニューアル前の前記ＢＩＭパーツと、当該リニューアル後の前記ＢＩＭパーツとを作成する。前記統合モデリング手段は、前記リニューアル前の前記ＢＩＭパーツを、前記ＢＩＭモデル記憶手段に記憶された前記ＢＩＭモデルに組み込んだ当該リニューアル前の前記統合ＢＩＭモデルと、前記リニューアル後の前記ＢＩＭパーツを、前記ＢＩＭモデル記憶手段に記憶された前記ＢＩＭモデルに組み込んだ当該リニューアル後の前記統合ＢＩＭモデルとを作成する。前記画面生成手段は、前記リニューアル前の前記統合ＢＩＭモデルと前記リニューアル後の前記統合ＢＩＭモデルとを並べて配置したレイアウト画面を生成する。
【図面の簡単な説明】
【０００６】
【図１】図１は、建築物の設計図書及びＢＩＭモデルの一例を示す概念図である。
【図２】図２は、第１の実施形態におけるＢＩＭシステムの構成の一例を示すブロック図である。
【図３】図３は、昇降機のＢＩＭパーツの一例を示す図である。
【図４】図４は、ＢＩＭモデルにＢＩＭパーツを組み込んだ統合ＢＩＭモデルを含むレイアウト画面の一例を示す図である。
【図５】図５は、リニューアル前後の統合ＢＩＭモデルを含むレイアウト画面の一例を示す図である。
【図６】図６は、リニューアル前の統合ＢＩＭモデルを含むレイアウト画面の一例を示す図である。
【図７】図７は、第１の実施形態における処理の一例を示すフローチャートである。
【図８】図８は、第１の実施形態における処理の一例を示すフローチャートである。
【図９】図９は、第１の実施形態における処理の一例を示すフローチャートである。
【図１０】図１０は、第１の実施形態における処理の一例を示すフローチャートである。
【図１１】図１１は、第２の実施形態におけるサーバ装置の構成の一例を示すブロック図である。
【図１２】図１２は、第２の実施形態におけるサーバ装置の変形例を示すブロック図である。
【図１３】図１３は、第２の実施形態における処理の一例を示すフローチャートである。
【図１４】図１４は、第３の実施形態におけるＢＩＭ装置の構成の一例を示すブロック図である。
【図１５】図１５は、第３の実施形態における処理の一例を示すフローチャートである。
【発明を実施するための形態】
【０００７】
以下に、実施形態にかかるＢＩＭシステム、サーバ装置、端末装置、方法、及び、プログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォーメーションモデル）の概要について説明する。図１は、建築物の設計図書及びＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性及び整合性を各々とる必要がある。つまり、建築物の設計図書による設計方法では、例えば関連する設計図書の修正が必要となり、また、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性及び整合性の確認を行うことができる。以下の実施形態では、このＢＩＭを使用した昇降機客先提案システムについて説明する。
【０００９】
以下、実施形態の構成及び処理について、第１の実施形態（ＢＩＭシステム）、第２の実施形態（サーバ装置（サーバ主導型））、第３の実施形態（機能集中型のシステム（スタンドアロン型のＢＩＭ装置））の順にて詳細に説明する。
【００１０】
［第１の実施形態］
最初に、第１の実施形態（ＢＩＭシステム）について、図２乃至図１０を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［ＢＩＭシステムの構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステムは、概略的に、昇降機の３次元モデル（すなわち、昇降機のＢＩＭパーツ）等の情報を提供できるサーバ装置２００、及び、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステムの各部は任意の通信路を介して通信可能に接続されている。
【００１３】
図２に示すように、第１の実施形態のＢＩＭシステムにおいて、サーバ装置２００は、概略的に、制御部２０２と記憶部２０６とを少なくとも備えている。端末装置１００は、出力部（表示部１１４及び音声出力部１１６）と入力部１１８と制御部１０２と記憶部１０６とを少なくとも備える。
【００１４】
［サーバ装置２００の構成］
ここで、図２において、サーバ装置２００は、端末装置１００から送信される作成条件に対応する建築物のＢＩＭモデルに組込可能な昇降機のＢＩＭパーツを、記憶部２０６に記憶されたパーツ情報を用いて作成する機能を有する。そして、サーバ装置２００は、作成されたＢＩＭパーツを端末装置１００へ送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００１５】
これら記憶部２０６の各構成要素のうち、パーツ情報記憶手段としてのパーツ情報データベース２０６ａは、建築物のＢＩＭモデルに組込可能な昇降機のＢＩＭパーツを作成するためのパーツ情報を記憶する。本実施形態において、昇降機は、エレベータ及び乗客コンベアを含む概念であり、乗客コンベアは、エスカレータ及び動く歩道を含む。ここで、パーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備に関する情報などのうちの少なくとも１つを含む。さらに、パーツ情報としては、例えば、昇降機を構成する必要部材の部材強度、価格、寸法、質量、色、素材、固有振動数といった情報の他、納期、在庫状況、据付時間、仕上げ材、耐用年数、メーカ情報、品番型番などのうちの少なくとも１つを含んでいてもよい。なお、パーツ情報は、上記に限定されない。
【００１６】
より具体的には、本実施形態において、パーツ情報は、例えば、後述の制御部１０２の処理によりＢＩＭパーツをＢＩＭモデルに組み込んだ統合ＢＩＭモデルの動作を解析する際に用いられるＢＩＭパーツの動作パラメータを含む。ここで、動作パラメータは、昇降機の動作速度、動作パターン等を規定するパラメータである。また、パーツ情報は、例えば、後述の制御部１０２の処理によりＢＩＭパーツの搬出経路、搬入経路を生成する際や注意箇所の検証の際に用いられるＢＩＭパーツのサイズ情報を含む。ここで、ＢＩＭパーツのサイズ情報は、ＢＩＭパーツを構成する各ユニット、構成部品のサイズ情報も含む。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配管・配線等が挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配管・配線等が挙げられる。また、パーツ情報は、例えば、後述の制御部１０２の処理よりＢＩＭパーツを変更する際に用いられる設定パラメータを含む。ここで、設定パラメータは、ＢＩＭパーツを構成する各ユニットのサイズ、色、材質等を規定するパラメータを含む。また、パーツ情報は、例えば、後述の制御部１０２の処理よりリニューアル工事計画を作成する際や後述の制御部２０２の処理よりＢＩＭパールを自動で作成する際に用いられる各ユニット、構成部品の納期情報、価格情報、作業順位情報、必要作業時間情報を含む。また、パーツ情報は、例えば、後述の制御部２０２の処理より利用可能であるパーツ情報の範囲を設定する際に用いられる属性情報を含む。なお、ＢＩＭパーツは、典型的なＢＩＭモデルと同様に、このＢＩＭパーツ自体に対象の昇降機に関連するパーツ情報等の属性情報を含んでいる。
【００１７】
また、制御部２０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部２０２は、これらのプログラム等により、種々の処理を実行するための情報処理を行う。制御部２０２は、機能概念的に、作成条件受信手段としての作成条件受信部２０２ａ、利用可能範囲設定手段としての利用可能範囲設定部２０２ｂ、昇降機モデリング手段としての昇降機モデリング部２０２ｃ、及び、情報提供手段としての情報提供部２０２ｄ、を備える。
【００１８】
このうち、作成条件受信部２０２ａは、端末装置１００から送信される作成条件を受信する。ここで、作成条件は、利用者が所望する昇降機の仕様等を示す条件である。つまり、作成条件は、建築物のＢＩＭモデルに組込可能な昇降機のＢＩＭパーツを作成するための条件を指定する。作成条件は、例えば、機種、色、素材、希望の価格、納期、利用者の嗜好性等のうちの少なくとも１つを含んでもよい。また、作成条件は、例えば、昇降機を設置する建築物の概要、設置位置等、後述するＢＩＭモデルデータベース１０６ａに格納されている建築物のＢＩＭモデルの構造情報を含んでもよい。また、作成条件は、利用者を区別するための識別情報（属性情報）等を含んでもよい。識別情報は、例えば、利用者に対して個別に設定されるアクセス許可用、あるいは、利用範囲設定用のパスワード情報、支払い済みの利用料金情報等である。また、作成条件は、後述するように既設の昇降機の全部、又は、一部を新設品に改修するリニューアル工事に関する条件等を含んでいてもよい。また、作成条件は、利用者により端末装置１００において入力部１１８を介して入力されたものであってもよいし、予め作成条件が記憶された外部記憶装置（図示せず）から読み込まれたものであってもよい。
【００１９】
また、利用可能範囲設定部２０２ｂは、端末装置１００から送信される作成条件に含まれる識別情報に応じて、利用可能である、パーツ情報データベース２０６ａに記憶されたパーツ情報の範囲を設定する。利用可能範囲設定部２０２ｂは、パスワード情報や利用料金情報等の識別情報に基づいて、当該識別情報に応じた利用者が利用可能なパーツ情報の範囲を設定する。後述の昇降機モデリング部２０２ｃによってＢＩＭパーツを作成する際には、この利用可能範囲設定部２０２ｂによって設定された利用可能範囲外のパーツ情報の使用が制限、禁止され、当該利用可能範囲内のパーツ情報が使用される。パーツ情報の範囲は、パスワード情報や利用料金情報等に応じて段階的に利用可能な範囲を変更するようにしてもよい。これにより、このＢＩＭシステムは、利用者の識別情報（属性情報）に応じて利用可能のパーツ情報の範囲を変更することができる。
【００２０】
また、昇降機モデリング部２０２ｃは、作成条件受信部２０２ａにより受信された作成条件に対応する昇降機のＢＩＭパーツを、パーツ情報データベース２０６ａに記憶されたパーツ情報を用いて作成する。昇降機モデリング部２０２ｃは、例えば、図３に示すようなエレベータの３次元のＢＩＭパーツを作成する。ここで、図３は、昇降機のＢＩＭパーツの一例を示す図である。図３の左側は、昇降路、乗りかご、ガイドレール等のユニットから構成されるＢＩＭパーツであり、図３の右側は、乗り場ホーム関連品の一例として、乗降口のドアのユニット等から構成されるＢＩＭパーツである。ここで、昇降機モデリング部２０２ｃは、後述するように利用者が選択可能なように、作成条件を満たす複数の昇降機のＢＩＭパーツを作成してもよい。またここでは、昇降機モデリング部２０２ｃは、利用可能範囲設定部２０２ｂによって設定された利用可能範囲内のパーツ情報を用いてＢＩＭパーツを作成する。昇降機モデリング部２０２ｃは、作成した昇降機のＢＩＭパーツを記憶部２０６に格納して、ＢＩＭパーツデータベース（図示せず）を構築してもよい。
【００２１】
また、昇降機モデリング部２０２ｃは、後述するような昇降機のリニューアルに際しては、作成条件受信部２０２ａにより受信された作成条件に基づいたリニューアル工事に関する条件等に対応する昇降機のＢＩＭパーツを、パーツ情報データベース２０６ａに記憶されたパーツ情報を用いて作成する。このとき、昇降機モデリング部２０２ｃは、リニューアル前のＢＩＭパーツと、リニューアル後のＢＩＭパーツとを作成する。昇降機モデリング部２０２ｃは、例えば、後述するＢＩＭモデルの構造情報に基づいて、既存の昇降路、機械室寸法、電源設備容量等からリニューアル可能な昇降機のＢＩＭパーツの候補を単数あるいは複数作成する。この場合も、昇降機モデリング部２０２ｃは、パーツ情報に対して利用可能範囲設定部２０２ｂによって利用可能範囲が設定されている場合には、この利用可能範囲内のパーツ情報を用いてリニューアル後のＢＩＭパーツを作成する。
【００２２】
またこの場合、昇降機モデリング部２０２ｃは、作成条件受信部２０２ａにより受信された作成条件に基づいた納期、価格、あるいは、嗜好性に応じてリニューアル後のＢＩＭパーツを自動的に最適化して作成するようにしてもよい。例えば、昇降機モデリング部２０２ｃは、利用者によってリニューアルに際し納期優先の選択がなされている場合には、リニューアル可能な昇降機のＢＩＭパーツのうち納期が早いものから順に自動で複数作成するようにしてもよい。同様に、昇降機モデリング部２０２ｃは、利用者によってリニューアルに際し価格優先の選択がなされている場合には、リニューアル可能な複数の昇降機のＢＩＭパーツのうち価格が安いものから順に自動で複数作成するようにしてもよい。昇降機モデリング部２０２ｃは、利用者によってリニューアルに際し利用者の嗜好性が設定されている場合には、リニューアル可能な複数の昇降機のＢＩＭパーツのうち嗜好性にあったものから順に自動で複数作成するようにしてもよい。
【００２３】
また、情報提供部２０２ｄは、昇降機モデリング部２０２ｃにより作成された昇降機のＢＩＭパーツを端末装置１００へ送信する。ここでは、情報提供部２０２ｄは、昇降機のＢＩＭパーツの情報を含むＢＩＭ情報を生成し、生成されたＢＩＭ情報を端末装置１００へ送信する。
【００２４】
［端末装置１００の構成］
また、図２において、端末装置１００は、サーバ装置２００から送信された昇降機のＢＩＭパーツを、記憶部１０６に記憶された建築物のＢＩＭモデルに組み込んだ統合ＢＩＭモデルを作成する機能を有する。そして、端末装置１００は、作成された統合ＢＩＭモデルを含むレイアウト画面を生成し、生成されたレイアウト画面を表示部１１４に表示させる等の機能を有する。端末装置１００は、例えば、一般に市販されるデスクトップ型またはノート型のパーソナルコンピュータ等の情報処理装置、携帯電話、スマートフォン、ＰＨＳ、及びＰＤＡ等の携帯端末装置等である。ここで、端末装置１００は、インターネットブラウザ等を搭載していてもよく、ＢＩＭアプリケーション等を搭載していてもよい。また、端末装置１００は、表示部１１４と音声出力部１１６とを少なくとも含む出力部を備えていてもよい。また、端末装置１００は、データ入力等を行う入力部１１８を備えていてもよい。
【００２５】
ここで、表示部１１４は、アプリケーション等の表示画面を表示する表示手段（例えば、液晶または有機ＥＬ等から構成されるディスプレイ、モニタ、及び、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、及び、ゲームパッド等）、マウス、キーボード、及び、マイク等であってもよい。また、入出力制御インターフェース部１０８は、表示部１１４、音声出力部１１６、及び、入力部１１８等の制御を行う。
【００２６】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００及びサーバ装置２００と、外部機器または外部システムとを相互に接続する機能を有し、例えば、インターネット、電話回線網（携帯端末回線網及び一般電話回線網等）、イントラネット、または、電力線通信（ＰＬＣ）等であってもよい。
【００２７】
また、記憶部１０６は、ＨＤＤやＳＳＤ等の大容量のストレージ手段、及び／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段である。記憶部１０６は、各種のデータベースやファイルやテーブル（ＢＩＭモデル記憶手段としてのＢＩＭモデルデータベース１０６ａ、オブジェクト情報記憶手段としてのオブジェクト情報データベース１０６ｂ等）を格納してもよい。ここで、記憶部１０６は、各種のファイル等を一時的に記憶するものであってもよい。
【００２８】
ＢＩＭモデルデータベース１０６ａは、建築物のＢＩＭモデルを記憶する。本実施形態において、ＢＩＭモデルデータベース１０６ａには、予め設計者により設計された建築物のＢＩＭモデルが格納されている。ここで、ＢＩＭモデルには、例えば、建物形状、空間関係、地理情報、建物部材の数量や特性、部材強度、固有振動数、耐用年数、各種付属設備、各種配管・配線等の情報のうちの少なくとも１つを含む構造情報が含まれるが、これに限定されない。本実施形態において、上述の昇降機モデリング部２０２ｃによりＢＩＭパーツを作成する際、後述の制御部１０２によりＢＩＭパーツの搬出経路、搬入経路を生成する際、注意箇所の検証の際、リニューアル工事計画を作成する際等に、上述の構造情報が参照される。
【００２９】
オブジェクト情報データベース１０６ｂは、建築物のＢＩＭモデル内で移動可能なヒトオブジェクトや環境に影響を及ぼす各種の環境オブジェクトに関するオブジェクト情報を記憶する。例えば、ヒトオブジェクトに関するオブジェクト情報は、所定条件に従って移動可能なヒトを模した３次元モデルを定義する情報である。ヒトオブジェクトに関するオブジェクト情報は、ヒトと模した３次元モデルを構築するための形状データの他、例えば、各ヒトオブジェクトについて出発地と目的地と少なくとも含む移動条件等を含む。また、例えば、環境オブジェクトに関するオブジェクト情報は、昇降機が設置される建築物の内外の環境を定義する情報であり、各種静的な環境条件、動的な環境条件等の情報を含む。また、環境オブジェクトに関するオブジェクト情報は、建築物の内外の環境に影響を及ぼす物体の３次元モデルを構築するための形状データ等を含んでもよい。オブジェクト情報は、外部記憶装置（図示せず）から読み込まれたものであってもよいし、入力部１１８を介して入力されたものであってもよいし、ネットワーク３００を介して取得されたものであってもよい。後述の制御部１０２により統合ＢＩＭモデルの動作を解析する際等に、上述のオブジェクト情報が参照される。
【００３０】
また、制御部１０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部１０２は、これらのプログラム等により、種々の処理を実行するための情報処理を行う。制御部１０２は、機能概念的に、作成条件送信手段としての作成条件送信部１０２ａ、統合モデリング手段としての統合モデリング部１０２ｂ、画面生成手段としての画面生成部１０２ｃ、画面表示手段としての画面表示部１０２ｄ、動作解析手段としての動作解析部１０２ｅを備える。さらに、制御部１０２は、機能概念的に、変更手段としての変更部１０２ｆ、経路生成手段としての経路生成部１０２ｇ、計画作成手段としての計画作成部１０２ｈ、検証手段としての検証部１０２ｉ、エラー出力手段としてのエラー出力部１０２ｊを備える。
【００３１】
このうち、作成条件送信部１０２ａは、利用者により入力される上述の作成条件をサーバ装置２００へ送信する作成条件送信手段である。作成条件は、利用者により入力部１１８を介して入力されたものであってもよいし、予め作成条件が記憶された外部記憶装置（図示せず）から読み込まれたものであってもよい。
【００３２】
また、統合モデリング部１０２ｂは、サーバ装置２００から送信されたＢＩＭ情報に応じた昇降機のＢＩＭパーツを、ＢＩＭモデルデータベース１０６ａに記憶された建築物のＢＩＭモデルに組み込んだ統合ＢＩＭモデルを作成する。例えば、統合モデリング部１０２ｂは、図４に示すようなエレベータのＢＩＭパーツを建築物のＢＩＭモデルの組み込んだ３次元の統合ＢＩＭモデルを作成する。ここで、図４は、ＢＩＭモデルにＢＩＭパーツを組み込んだ統合ＢＩＭモデルの一例を示す図である。図４では、建築物の完成時におけるエレベータの設置状態を示す統合ＢＩＭモデルの一部が示されている。ここで、統合モデリング部１０２ｂは、作成した統合ＢＩＭモデルを記憶部１０６に格納して、統合ＢＩＭモデルデータベース（図示せず）を構築してもよい。
【００３３】
また、画面生成部１０２ｃは、統合モデリング部１０２ｂにより作成された統合ＢＩＭモデルを含むレイアウト画面を生成する。
【００３４】
また、画面表示部１０２ｄは、画面生成部１０２ｃにより生成されたレイアウト画面を表示部１１４に表示させる。画面表示部１０２ｄは、例えば、図４に示すようなエレベータのＢＩＭパーツを建築物のＢＩＭモデルの組み込んだ３次元の統合ＢＩＭモデルを含むレイアウト画面を表示部１１４に表示させる。
【００３５】
また、動作解析部１０２ｅは、画面表示部１０２ｄにより表示されたレイアウト画面上で昇降機のＢＩＭパーツの動作をシミュレーションする。具体的には、動作解析部１０２ｅは、昇降機のＢＩＭパーツに含まれるパーツ情報が示すＢＩＭパーツの上述の動作パラメータに基づいて昇降機のＢＩＭパーツの動作を統合ＢＩＭモデル内でシミュレーションする。また、動作解析部１０２ｅは、オブジェクト情報データベース１０６ｂに記憶された上述のオブジェクト情報に基づいてヒトオブジェクトを統合ＢＩＭモデル内で移動させながら、昇降機のＢＩＭパーツの動作をシミュレーションしてもよい。また、動作解析部１０２ｅは、オブジェクト情報データベース１０６ｂに記憶された上述のオブジェクト情報に基づいて環境オブジェクトを統合ＢＩＭモデル内で変化させながら昇降機のＢＩＭパーツの動作をシミュレーションしてもよい。
【００３６】
ところで、このような昇降機では、建築物に設置された後、種々の要求に応じて既設の昇降機の全部、又は、一部を新設品に改修するリニューアルが行われることが知られている。リニューアル物件は、例えば、それまでの過程で建築物に変更が加えられている可能性があり、必要な情報が不足しやすい傾向にある。このような昇降機をリニューアルする際、既設の設備である昇降路や乗り場ホール、機械室等の寸法に加えて電源容量等のデータ等を確認する必要が生じる場合もある。このような場合、現在稼働中であれば、過去の図面や現場での実測により採寸し、可能な機種、可能なサイズを提案することとなり煩雑である。また、例えば、予算が限られている場合には、リニューアルを行う箇所を一部に限定する必要がある場合もあり、提案内容がさらに複雑で理解しにくくなる傾向にある。また、例えば、客先の要求するリニューアル後のイメージに合う提案書を作成する必要が生じる場合もある。さらに、リニューアル対象としている昇降機が現在稼働中であれば、例えば、工事作業日数・搬出・搬入時間・工事時間帯にも制限がある場合があり、それぞれの物件に対して各担当者が調整したリニューアル工事計画を作成した後、客先確認で修正しなければならない場合もある。また、例えば、別の設備工事がリニューアルされる場合には、設置位置等の調整も必要になる場合がある。
【００３７】
そこで、本実施形態は、ＢＩＭを用いてリニューアル前後のイメージをモデルで視覚的に比較、確認できるようにしている。これにより、本実施形態は、例えば、短期間で客先に最適な仕様等を提案すること、変更等に対してもタイムリーに作業を進めること、より効率的に業務をすすめること等を実現できるようにしている。
【００３８】
具体的には、統合モデリング部１０２ｂは、昇降機のリニューアルに際し、リニューアル前の統合ＢＩＭモデルとリニューアル後の統合ＢＩＭモデルとを作成する。この場合、統合モデリング部１０２ｂは、サーバ装置２００にて作成、送信されたＢＩＭ情報に応じたリニューアル前のＢＩＭパーツを、ＢＩＭモデルデータベース１０６ａに記憶された建築物のＢＩＭモデルに組み込んだリニューアル前の統合ＢＩＭモデルを作成する。また、統合モデリング部１０２ｂは、サーバ装置２００にて作成、送信されたＢＩＭ情報に応じたリニューアル後のＢＩＭパーツを、ＢＩＭモデルデータベース１０６ａに記憶された建築物のＢＩＭモデルに組み込んだリニューアル後の統合ＢＩＭモデルを作成する。
【００３９】
そして、画面生成部１０２ｃは、統合モデリング部１０２ｂにより作成されたリニューアル前の統合ＢＩＭモデルとリニューアル後の統合ＢＩＭモデルとを並べて配置したレイアウト画面を生成する。画面生成部１０２ｃは、部分的な箇所に限定してリニューアル前後の統合ＢＩＭモデルを並べて配置したレイアウト画面を生成してもよいし、全体のイメージを視覚化するべく建築物を含めてリニューアル前後の統合ＢＩＭモデルを並べて配置したレイアウト画面を生成してもよい。また、画面生成部１０２ｃは、リニューアル前後で表示角度や大きさ等を統一して統合ＢＩＭモデルを並べて配置したレイアウト画面を生成してもよい。そして、画面表示部１０２ｄは、例えば、図５に示すようなリニューアル前の統合ＢＩＭモデルとリニューアル後の統合ＢＩＭモデルとを並べて配置したレイアウト画面を表示部１１４に表示させる。図５は、リニューアル前後の統合ＢＩＭモデルを含むレイアウト画面の一例を示す図である。そして、上述した動作解析部１０２ｅは、画面表示部１０２ｄにより表示されたレイアウト画面上でリニューアル後の昇降機のＢＩＭパーツの動作（例えば扉の開閉等）をシミュレーションすることができる。
【００４０】
また、変更部１０２ｆは、画面表示部１０２ｄにより表示されたレイアウト画面上でＢＩＭパーツを変更する。具体的には、変更部１０２ｆは、利用者により入力される変更条件に応じてＢＩＭパーツに含まれるパーツ情報の上記設定パラメータを変更することで、当該ＢＩＭパーツを変更する。昇降機のリニューアルの際には、変更部１０２ｆは、画面表示部１０２ｄにより表示されたレイアウト画面上でリニューアル後の前記ＢＩＭパーツを変更する。そして、画面生成部１０２ｃは、変更部１０２ｆにより変更されたリニューアル後のＢＩＭパーツを含むレイアウト画面を生成する。画面表示部１０２ｄは、変更部１０２ｆにより変更されたリニューアル後のＢＩＭパーツを含むレイアウト画面を表示部１１４に表示させる。
【００４１】
また、経路生成部１０２ｇは、ＢＩＭモデルデータベース１０６ａに記憶された建築物のＢＩＭモデル、及び、情報提供部２０２ｄによりサーバ装置２００から送信されたリニューアル前の昇降機のＢＩＭパーツに基づいて、統合ＢＩＭモデル内の設置位置からリニューアル前の昇降機のＢＩＭパーツを搬出するための搬出経路を生成する。また、経路生成部１０２ｇは、ＢＩＭモデルデータベース１０６ａに記憶された建築物のＢＩＭモデル、及び、サーバ装置２００から送信されたリニューアル後の昇降機のＢＩＭパーツに基づいて、統合ＢＩＭモデル内の設置位置までリニューアル後の昇降機のＢＩＭパーツを搬入するための搬入経路を生成する。
【００４２】
具体的には、経路生成部１０２ｇは、建築物のＢＩＭモデルに含まれる建築物の構造情報、及び、ＢＩＭパーツのパーツ情報に含まれるサイズ情報等に基づいて、搬出経路、搬入経路を生成する。すなわち、経路生成部１０２ｇは、リニューアル前後の昇降機のＢＩＭパーツのパーツ情報を取得する。ここで、昇降機のＢＩＭパーツのパーツ情報は、上述したように当該リニューアル前後の昇降機のＢＩＭパーツを構成する各ユニット、構成部品のサイズ情報を含む。経路生成部１０２ｇは、パーツ情報からリニューアル前の昇降機のＢＩＭパーツの搬出時の構成部品、及び、リニューアル後の昇降機のＢＩＭパーツの搬入時の構成部品の情報を作成する。そして、経路生成部１０２ｇは、例えば、建築物のＢＩＭモデルの構造情報（例えば、搬出経路、搬入経路となりうる経路の寸法等）と、搬出時・搬入時のＢＩＭパーツの各構成部品のサイズ情報とに基づいて、搬出経路、搬入経路を、ユニットごとに生成する。なお、搬出経路、搬入経路を生成する方法はこれに限定されない。経路生成部１０２ｇは、例えば、構造情報が規定する建築物の空間において、サイズ情報が規定する各ユニットのサイズが干渉しない状態で当該ユニットが通過可能な最短距離を搬出経路、搬入経路として生成する。また、経路生成部１０２ｇは、例えば、ユニット単位では干渉しない搬出経路、搬入経路が特定できない場合、当該ユニットをさらに細かい構成部品単位に分解した状態で搬出経路、搬入経路を生成するようにしてもよい。
【００４３】
そして、画面生成部１０２ｃは、リニューアル前の統合ＢＩＭモデルと、経路生成部１０２ｇにより生成された搬出経路、搬入経路とを含むレイアウト画面を生成する。画面表示部１０２ｄは、例えば、図６に示すようなリニューアル前の統合ＢＩＭモデルと搬出経路、搬入経路とを含むレイアウト画面を表示部１１４に表示させる。図６は、リニューアル前の統合ＢＩＭモデルを含むレイアウト画面の一例を示す図である。なお、経路生成部１０２ｇは、リニューアル前の昇降機のＢＩＭパーツの構成部品が建築物内のどの搬出入ルートからも搬出、搬入が不可能な場合には、当該構成部品を建築物の開口部等から直接的に搬出、搬入が必要な経路外用品として特定し、上記レイアウト画面に反映させるようにしてもよい。
【００４４】
また、計画作成部１０２ｈは、ＢＩＭモデルデータベース１０６ａに記憶された建築物のＢＩＭモデル、及び、情報提供部２０２ｄによりサーバ装置２００から送信された昇降機のＢＩＭパーツに基づいて、リニューアル前のＢＩＭパーツが表す昇降機をリニューアル後のＢＩＭパーツが表す昇降機にリニューアルする際のリニューアル工事計画を作成する。
【００４５】
具体的には、計画作成部１０２ｈは、建築物のＢＩＭモデルに含まれる建築物の構造情報、及び、昇降機のＢＩＭパーツに含まれるパーツ情報に基づいて、リニューアル工事計画を作成する。すなわち、計画作成部１０２ｈは、リニューアル前後の昇降機のＢＩＭパーツのパーツ情報を取得する。ここで、昇降機のＢＩＭパーツのパーツ情報は、上述したように当該リニューアル前後の昇降機のＢＩＭパーツを構成する各ユニット、構成部品の納期情報、価格情報、作業順位情報、必要作業時間情報を含む。計画作成部１０２ｈは、パーツ情報からリニューアル前の昇降機のＢＩＭパーツの搬出時の構成部品、及び、リニューアル後の昇降機のＢＩＭパーツの搬入時の構成部品の情報を作成する。計画作成部１０２ｈは、部品毎の納期、価格、必要作業時間を集計する。そして、計画作成部１０２ｈは、例えば、建築物のＢＩＭモデルの構造情報（例えば、搬出経路、搬入経路となりうる経路の寸法等）、部品毎の納期、作業順位、必要作業時間等に基づいて作業手順を作成する。また、計画作成部１０２ｈは、例えば、利用者の入力に応じて工事開始日、工事（可能）時間帯等を設定する。そして、計画作成部１０２ｈは、作業手順、工事開始日、工事時間帯、部品毎の価格等に基づいて、工程表や見積書等のリニューアル工事計画を自動で作成する。
【００４６】
そして、画面生成部１０２ｃは、リニューアル前後の統合ＢＩＭモデルと、計画作成部１０２ｈにより作成されたリニューアル工事計画とを含むレイアウト画面を生成する。画面表示部１０２ｄは、例えば、図５に示すようなリニューアル前後の統合ＢＩＭモデルと、工程表や見積書等のリニューアル工事計画とを含むレイアウト画面を表示部１１４に表示させる。
【００４７】
また、検証部１０２ｉはＢＩＭモデルデータベース１０６ａに記憶された建築物のＢＩＭモデル、及び、情報提供部２０２ｄによりサーバ装置２００から送信された昇降機のＢＩＭパーツに基づいて、リニューアル前のＢＩＭパーツが表す昇降機をリニューアル後のＢＩＭパーツが表す昇降機にリニューアルする際の注意箇所を検証する。
【００４８】
具体的には、検証部１０２ｉは、建築物のＢＩＭモデルに含まれる建築物の構造情報、及び、ＢＩＭパーツのパーツ情報に含まれるサイズ情報等に基づいて、リニューアルする際の注意箇所を検証する。検証部１０２ｉは、建築物のＢＩＭモデルの構造情報を取得する。検証部１０２ｉは、リニューアル前後の昇降機のＢＩＭパーツのパーツ情報を取得する。ここで、昇降機のＢＩＭパーツのパーツ情報は、上述したように当該リニューアル前後の昇降機のＢＩＭパーツを構成する各ユニット、構成部品のサイズ情報を含む。検証部１０２ｉは、パーツ情報からリニューアル前の昇降機のＢＩＭパーツの搬出時の構成部品、及び、リニューアル後の昇降機のＢＩＭパーツの搬入時の構成部品の情報を作成する。また、検証部１０２ｉは、例えば、利用者の入力に応じて用品接近条件を設定する。用品接近条件は、例えば、建築物のＢＩＭモデル、昇降機のＢＩＭパーツにおいて、各構成部品間で許容可能な接近距離の条件等を含んでいる。そして、検証部１０２ｉは、例えば、建築物のＢＩＭモデルの構造情報（例えば、搬出経路、搬入経路となりうる経路の寸法等）と、搬出時・搬入時の昇降機のＢＩＭパーツを構成する各構成部品のサイズ情報と、用品接近条件とに基づいて、注意箇所を検証する。すなわち、検証部１０２ｉは、リニューアル前の昇降機のＢＩＭパーツの搬出時、リニューアル後の昇降機のＢＩＭパーツの搬入時の注意箇所、例えば、構成部品の搬出入時に建築物の構造物と構成部品とが過度に接近する箇所を検証する。
【００４９】
そして、画面生成部１０２ｃは、搬出経路及び搬入経路と、検証部１０２ｉにより検証された注意箇所とを含むレイアウト画面を生成する。画面表示部１０２ｄは、例えば、図６に示すような搬出経路及び搬入経路と注意箇所とを含むレイアウト画面を表示部１１４に表示させる。画面表示部１０２ｄは、例えば、注意箇所を点滅表示させるようにしてもよい。
【００５０】
また、エラー出力部１０２ｊは、統合モデリング部１０２ｂが統合ＢＩＭモデルを作成できない場合等に、エラー情報を生成、出力する。具体的には、エラー出力部１０２ｊは、統合モデリング部１０２ｂが昇降機のＢＩＭパーツを設置するＢＩＭモデル内の設置位置にて当該昇降機のＢＩＭパーツを組み込めない場合等に、表示部１１４や音声出力部１１６等を介して当該状況を利用者に通知するエラー情報を出力する。本実施形態において、統合モデリング部１０２ｂが統合ＢＩＭモデルを作成できない場合とは、ＢＩＭパーツをＢＩＭモデル内の設置位置に組み込めない場合に加え、ＢＩＭパーツをＢＩＭモデル内の設置位置に組み込めたものの、意図した設置状態でない場合も含む。ここで、エラー情報は、文字データであってもよいし、音声データであってもよい。更に、エラー出力部１０２ｊは、統合モデリング部１０２ｂがどのような条件であればＢＩＭモデル内の設置位置にて昇降機のＢＩＭパーツを組み込めるかを示すガイド情報をエラー情報として出力してもよい。ガイド情報は、昇降機のＢＩＭパーツの仕様を示す情報であってもよい。
【００５１】
以上で、第１の実施形態におけるＢＩＭシステムの構成の一例の説明を終える。
【００５２】
［ＢＩＭシステムの処理］
次に、このように構成された第１の実施形態におけるＢＩＭシステムの処理の一例について、以下に図７乃至図１０を参照して詳細に説明する。図７は、第１の実施形態におけるＢＩＭシステムの処理の一例を示すフローチャートである。
【００５３】
図７に示すように、端末装置１００の作成条件送信部１０２ａは、サーバ装置２００にアクセス可能かを判定した後、可能であれば利用者により入力される作成条件をサーバ装置２００へ送信する（ステップＳＡ−１）。ここでは、作成条件は、例えば、利用者が所望する昇降機の仕様を示す条件のほか、希望の価格、納期、利用者の嗜好性、識別情報、建築物のＢＩＭモデルの構造情報、リニューアル工事に関する条件等を含んでいる。
【００５４】
そして、サーバ装置２００の作成条件受信部２０２ａは、ステップＳＡ−１にて作成条件送信部１０２ａの処理により送信される作成条件を受信する（ステップＳＡ−２）。
【００５５】
そして、サーバ装置２００の利用可能範囲設定部２０２ｂは、ステップＳＡ−２にて作成条件受信部２０２ａの処理により受信された作成条件に含まれる識別情報に応じて、利用可能であるパーツ情報データベース２０６ａに記憶されたパーツ情報の範囲を設定する（ステップＳＡ−３）。
【００５６】
そして、サーバ装置２００の昇降機モデリング部２０２ｃは、ステップＳＡ−２にて作成条件受信部２０２ａの処理により受信された作成条件に対応する昇降機のＢＩＭパーツを、パーツ情報データベース２０６ａに記憶されたパーツ情報を用いて作成する（ステップＳＡ−４）。このとき、昇降機モデリング部２０２ｃは、ステップＳＡ−３にて利用可能範囲設定部２０２ｂの処理により設定された利用可能範囲内のパーツ情報を用いてリニューアル前の昇降機のＢＩＭパーツ及びリニューアル後の昇降機のＢＩＭパーツを作成する。
【００５７】
そして、サーバ装置２００の情報提供部２０２ｄは、ステップＳＡ−４にて昇降機モデリング部２０２ｃの処理により作成されたリニューアル前後の昇降機のＢＩＭパーツの情報を含むＢＩＭ情報を生成する（ステップＳＡ−５）。
【００５８】
そして、サーバ装置２００の情報提供部２０２ｄは、ステップＳＡ−５での処理により作成したＢＩＭ情報を端末装置１００へ送信する（ステップＳＡ−６）。
【００５９】
そして、端末装置１００の制御部１０２は、ステップＳＡ−６にて情報提供部２０２ｄの処理により送信されたＢＩＭ情報を受信する（ステップＳＡ−７）。
【００６０】
そして、端末装置１００の統合モデリング部１０２ｂは、ステップＳＡ−７にて制御部１０２の処理により受信されたＢＩＭ情報に含まれる単数または複数のリニューアル後の昇降機のＢＩＭパーツの中から利用者の入力に応じて、ＢＩＭモデルに組み込む機種を選択する（ステップＳＡ−８）。
【００６１】
そして、端末装置１００の統合モデリング部１０２ｂは、ステップＳＡ−８での処理により選択された機種のＢＩＭパーツに対して、利用者の入力に応じて色・素材等を選択する（ステップＳＡ−９）。
【００６２】
そして、端末装置１００の統合モデリング部１０２ｂは、ステップＳＡ−９での処理により選択されたリニューアル後の昇降機のＢＩＭパーツが、ＢＩＭモデルデータベース１０６ａに記憶された建築物のＢＩＭモデルの所定の設置位置に合致するか否かを判定する（ステップＳＡ−１０）。
【００６３】
端末装置１００のエラー出力部１０２ｊは、ステップＳＡ−１０にて統合モデリング部１０２ｂの処理によりリニューアル後の昇降機のＢＩＭパーツが建築物のＢＩＭモデルの所定の設置位置に合致しないと判定された場合（ステップＳＡ−１０：Ｎｏ）、エラー情報を生成、出力し（ステップＳＡ−１１）、処理をステップＳＡ−８に移行させる。
【００６４】
端末装置１００の統合モデリング部１０２ｂは、ステップＳＡ−１０での処理によりリニューアル後の昇降機のＢＩＭパーツが建築物のＢＩＭモデルの所定の設置位置に合致すると判定した場合（ステップＳＡ−１０：Ｙｅｓ）、統合ＢＩＭモデルを作成する（ステップＳＡ−１２）。すなわち、統合モデリング部１０２ｂは、ステップＳＡ−９での処理により選択されたリニューアル後の昇降機のＢＩＭパーツを、ＢＩＭモデルデータベース１０６ａに記憶された建築物のＢＩＭモデルに組み込んだリニューアル後の統合ＢＩＭモデルを作成する。また、統合モデリング部１０２ｂは、ステップＳＡ−７にて制御部１０２の処理により受信されたＢＩＭ情報に含まれるリニューアル前の昇降機のＢＩＭパーツを、ＢＩＭモデルデータベース１０６ａに記憶された建築物のＢＩＭモデルに組み込んだリニューアル前の統合ＢＩＭモデルも作成する。
【００６５】
そして、端末装置１００の経路生成部１０２ｇは、ＢＩＭモデルデータベース１０６ａに記憶された建築物のＢＩＭモデル、及び、上記リニューアル前後の昇降機のＢＩＭパーツに基づいて、昇降機のＢＩＭパーツの搬出・搬入経路を生成する（ステップＳＡ−１３）。
【００６６】
ここで、図８は、第１の実施形態における搬出・搬入経路生成処理の一例を示すフローチャートである。この図８を参照して、搬出・搬入経路生成処理をより詳細に説明する。
【００６７】
まず、端末装置１００の経路生成部１０２ｇは、リニューアル前後の昇降機のＢＩＭパーツのパーツ情報を取得する（ステップＳＡ−１０１）。
【００６８】
次に、経路生成部１０２ｇは、ステップＳＡ−１０１での処理により取得したリニューアル前後の昇降機のＢＩＭパーツのパーツ情報に基づいて、リニューアル前の昇降機のＢＩＭパーツの搬出時の構成部品、及び、リニューアル後の昇降機のＢＩＭパーツの搬入時の構成部品の情報を作成する（ステップＳＡ−１０２）。
【００６９】
そして、経路生成部１０２ｇは、建築物のＢＩＭモデルの構造情報（例えば、搬出経路、搬入経路となりうる経路の寸法等）と、ステップＳＡ−１０２での処理により作成した各構成部品のサイズ情報とに基づいて、搬出経路、搬入経路の候補情報を生成する（ステップＳＡ−１０３）。
【００７０】
次に、経路生成部１０２ｇは、ステップＳＡ−１０３での処理により生成された搬出経路、搬入経路の候補情報に基づいて、リニューアル前の昇降機のＢＩＭパーツの搬出、リニューアル後の昇降機のＢＩＭパーツの搬入が可能であるか否かを判定する（ステップＳＡ−１０４）。
【００７１】
経路生成部１０２ｇは、ステップＳＡ−１０４での処理により搬出、搬入ができないと判定した場合（ステップＳＡ−１０４：Ｎｏ）、処理をステップＳＡ−１０２に移行させる。この場合、経路生成部１０２ｇは、例えば、ユニット単位では干渉しない搬出経路、搬入経路が特定できない場合、当該ユニットをさらに細かい構成部品単位に分解した状態で搬出経路、搬入経路の候補情報を生成し、以降の処理を行う。
【００７２】
経路生成部１０２ｇは、ステップＳＡ−１０４での処理により搬出、搬入が可能であると判定した場合（ステップＳＡ−１０４：Ｙｅｓ）、ステップＳＡ−１０３での処理により生成された搬出経路、搬入経路の候補情報に基づいて、搬出経路、搬入経路を生成する（ステップＳＡ−１０５）。
【００７３】
以上で、経路生成部１０２ｇによる搬出・搬入経路生成処理の一例の説明を終える。
【００７４】
図７に戻って、端末装置１００の検証部１０２ｉは、ステップＳＡ−１３での経路生成部１０２ｇの処理の後、リニューアルする際の注意箇所を検証する（ステップＳＡ−１４）。検証部１０２ｉは、ＢＩＭモデルデータベース１０６ａに記憶された建築物のＢＩＭモデル、及び、上記リニューアル前後の昇降機のＢＩＭパーツに基づいて、リニューアルする際の注意箇所を検証する。
【００７５】
ここで、図９は、第１の実施形態における注意箇所検証処理の一例を示すフローチャートである。この図９を参照して、注意箇所検証処理をより詳細に説明する。
【００７６】
まず、端末装置１００の検証部１０２ｉは、建築物のＢＩＭモデルの構造情報を取得する（ステップＳＡ−２０１）。
【００７７】
次に、検証部１０２ｉは、リニューアル前後の昇降機のＢＩＭパーツのパーツ情報を取得する（ステップＳＡ−２０２）。
【００７８】
次に、検証部１０２ｉは、ステップＳＡ−２０２での処理により取得したリニューアル前後の昇降機のＢＩＭパーツのパーツ情報に基づいて、リニューアル前の昇降機のＢＩＭパーツの搬出時の構成部品、及び、リニューアル後の昇降機のＢＩＭパーツの搬入時の構成部品の情報を作成する（ステップＳＡ−２０３）。
【００７９】
次に、検証部１０２ｉは、利用者の入力に応じて用品接近条件を設定する（ステップＳＡ−２０４）。
【００８０】
そして、検証部１０２ｉは、ステップＳＡ−２０１での処理で取得した建築物のＢＩＭモデルの構造情報と、ステップＳＡ−２０３での処理で作成した構成部品の情報と、ステップＳＡ−２０４での処理で設定した用品近条件とに基づいて注意箇所を検証する（ステップＳＡ−２０５）。
【００８１】
そして、検証部１０２ｉは、ステップＳＡ−２０１での処理で検証した注意箇所に基づいて、注意箇所（問題点）のリストを作成する（ステップＳＡ−２０６）。
【００８２】
以上で、検証部１０２ｉによる注意箇所検証処理の一例の説明を終える。
【００８３】
図７に戻って、端末装置１００の計画作成部１０２ｈは、ステップＳＡ−１４での検証部１０２ｉの処理の後、リニューアル工事計画を作成する（ステップＳＡ−１５）。計画作成部１０２ｈは、ＢＩＭモデルデータベース１０６ａに記憶された建築物のＢＩＭモデル、及び、上記リニューアル前後の昇降機のＢＩＭパーツに基づいて、リニューアルする際のリニューアル工事計画を作成する。
【００８４】
ここで、図１０は、第１の実施形態におけるリニューアル計画作成処理の一例を示すフローチャートである。この図１０を参照して、リニューアル計画作成処理をより詳細に説明する。
【００８５】
まず、端末装置１００の計画作成部１０２ｈは、リニューアル前後の昇降機のＢＩＭパーツのパーツ情報を取得する（ステップＳＡ−３０１）。
【００８６】
次に、計画作成部１０２ｈは、ステップＳＡ−３０１での処理により取得したリニューアル前後の昇降機のＢＩＭパーツのパーツ情報に基づいて、リニューアル前の昇降機のＢＩＭパーツの搬出時の構成部品、及び、リニューアル後の昇降機のＢＩＭパーツの搬入時の構成部品の情報を作成する（ステップＳＡ−３０２）。
【００８７】
次に、計画作成部１０２ｈは、ステップＳＡ−３０２での処理により作成した構成部品の情報に基づいて、部品毎の納期、価格、必要作業時間等を集計する（ステップＳＡ−３０３）。
【００８８】
次に、計画作成部１０２ｈは、建築物のＢＩＭモデルの構造情報と、ステップＳＡ−３０３での処理により集計した部品毎の納期、価格、必要作業時間、作業順位等とに基づいて、作業手順を作成する（ステップＳＡ−３０４）。
【００８９】
次に、計画作成部１０２ｈは、利用者の入力に応じて工事開始日、工事時間帯等を設定する（ステップＳＡ−３０５）。
【００９０】
次に、計画作成部１０２ｈは、ステップＳＡ−３０３での処理により集計した部品毎の納期、価格、必要作業時間、ステップＳＡ−３０４での処理により作成した作業手順、ステップＳＡ−３０５での処理により設定した工事開始日、工事時間帯等に基づいて、工程表や見積書等のリニューアル工事計画を自動で作成する（ステップＳＡ−３０６）。
【００９１】
以上で、計画作成部１０２ｈによるリニューアル計画作成処理の一例の説明を終える。
【００９２】
図７に戻って、端末装置１００の画面生成部１０２ｃは、ステップＳＡ−１５での計画作成部１０２ｈの処理の後、レイアウト画面を生成する（ステップＳＡ−１６）。画面生成部１０２ｃは、ステップＳＡ−１２にて統合モデリング部１０２ｂの処理により作成されたリニューアル前後の統合ＢＩＭモデル、ステップＳＡ−１３にて経路生成部１０２ｇの処理により生成された搬出・搬入経路、ステップＳＡ−１４にて検証部１０２ｉの処理により検証された注意箇所、ステップＳＡ−１５にて計画作成部１０２ｈの処理により作成されたリニューアル工事計画に基づいたレイアウト画面を生成する。
【００９３】
そして、端末装置１００の画面表示部１０２ｄは、ステップＳＡ−１６にて画面生成部１０２ｃの処理により生成されたレイアウト画面を表示部１１４に表示させる（ステップＳＡ−１７）。例えば、画面表示部１０２ｄは、上述した図５、図６に例示すようなレイアウト画面を表示部１１４に表示させる。
【００９４】
そして、端末装置１００の動作解析部１０２ｅは、ステップＳＡ−１７にて画面表示部１０２ｄの処理により表示されたレイアウト画面上で昇降機のＢＩＭパーツの動作をシミュレーションする（ステップＳＡ−１８）。
【００９５】
そして、端末装置１００の変更部１０２ｆは、利用者の入力に応じて変更があるか否かを判定する（ステップＳＡ−１９）。
【００９６】
端末装置１００の変更部１０２ｆは、ステップＳＡ−１９での処理により変更があると判定した場合（ステップＳＡ−１９：Ｙｅｓ）、処理をステップＳＡ−８に移行させる。端末装置１００の制御部１０２は、ステップＳＡ−１９にて変更部１０２ｆの処理により変更がないと判定された場合（ステップＳＡ−１９：Ｎｏ）、この処理を終了する。
【００９７】
以上で、第１の実施形態におけるＢＩＭシステムの処理の一例の説明を終える。
【００９８】
上記のように構成されるＢＩＭシステムは、例えば、各業種にて建物全体データである建築物の３次元モデル（すなわち、建築物のＢＩＭモデル）を共有することができるので、１個のデータ上で関連性及び整合性の確認を行うことができる。そして、ＢＩＭシステムは、ＢＩＭモデルに昇降機のＢＩＭパーツを統合した統合ＢＩＭモデル上で、昇降機設備に必要な設備工事等の検討事項を可視化、検討することができるので、高い設計品質を確保することができ、作業効率を向上することができる。そして、ＢＩＭシステムは、昇降機のリニューアルに際し、図５に示すように端末装置１００の表示部１１４に、リニューアル前の統合ＢＩＭモデルとリニューアル後の統合ＢＩＭモデルとを並べて配置したレイアウト画面を表示することができる。また、上記のように構成されるＢＩＭシステムは、昇降機のリニューアルに際し、図６に示すように端末装置１００の表示部１１４に、リニューアル前の昇降機の各構成部品の搬出経路、リニューアル後の昇降機の各構成部品の搬入経路、搬出時・搬入時の注意箇所を含むレイアウト画面を表示することができる。また、上記のように構成されるＢＩＭシステムは、昇降機のリニューアルに際し、図５に示すように端末装置１００の表示部１１４に、工程表や見積書等のリニューアル工事計画を含むレイアウト画面を表示することができる。
【００９９】
これにより、利用者は、施工前の計画段階でリニューアル前後のイメージをモデルから視覚的に容易に比較、確認することができ、リニューアル工事の内容を効率よく検討することができる。また、利用者は、例えば、壁等の意匠品とリニューアル後の昇降機との整合性が問われやすい乗り場ホール関連品等のデザイン選定等においても、客先のイメージの相互確認を容易に行うことができ、リニューアルの提案を効率よく行うことができる。また、利用者は、例えば、現状設備に収まる機種等の選定のための各種必要情報の収集や整合性の確認を効率的に行うことができる。また、利用者は、例えば、予算や納期等を含めた状況も加味した最適な機種等の選定を短時間で行うことができる。また、利用者は、例えば、予算の都合上等によりリニューアルする箇所を部分的なものに限定した場合であっても、種々の条件、問題点などを視覚的に整理し、提案内容をわかりやすく短時間で効率的に客先に提案することができる。また、利用者は、例えば、搬出入の問題点を事前に視覚的に判断でき、現場の調整を容易にすることができ、また、事前に注意する箇所を把握することができる。また、利用者は、例えば、簡単にリニューアル工事計画書を作成することができ、かつ日程や時間の変更にも柔軟に対応することができる。また、利用者は、例えば、稼働中の昇降機に対するリニューアルにおいて、工事期間、搬入時間、工事時間帯に応じて、リニューアル工事計画の作成から客先との調整、修正の過程を効率的に経ることができ、また同一建築物内での他の設備工事等との整合性も容易に図ることができる。また、利用者は、リニューアル後の昇降機の設置状態について、関連業者間での詳細に検討及び確認を立体的に行うことができ、例えば、施工段階での取合い不備の発生を防止することができる。また、利用者は、例えば、建物の仕上げ設計において、確認不足による再製作時の無駄なコストを抑制できる。また、利用者は、レイアウト画面上でリニューアル後の昇降機のＢＩＭパーツの動作をシミュレーションすることができ、例えば、工事完了後の利用者の誘導導線や利用環境、昇降機の動き等を可視化してシミュレーションすることができ、客先に対して容易に種々の検証及び提案を行うことができる。
【０１００】
なお、以上の説明では、端末装置１００の制御部１０２は、ステップＳＡ−１１の処理の後、処理をステップＳＡ−８に移行させるものとして説明したが、これにかえてステップＳＡ−１に移行させるようにしてもよい。また、端末装置１００の制御部１０２は、ステップＳＡ−１９の処理で変更ありと判定された場合（ステップＳＡ−１９：Ｙｅｓ）も同様にステップＳＡ−１に移行させるようにしてもよい。また、端末装置１００の制御部１０２は、動作解析部１０２ｅ、変更部１０２ｆ、経路生成部１０２ｇ、計画作成部１０２ｈ、検証部１０２ｉ、エラー出力部１０２ｊを備えない構成であってもよい。サーバ装置２００の制御部２０２は、利用可能範囲設定部２０２ｂを備えない構成であってもよい。また、図７で例示したＢＩＭシステムの処理は、ステップＳＡ−３、ステップＳＡ−８、ステップＳＡ−９、ステップＳＡ−１１、ステップＳＡ−１３、ステップＳＡ−１４、ステップＳＡ−１５、ステップＳＡ−１８、ステップＳＡ−１９等を含まない構成であってもよい。
【０１０１】
［第２の実施形態］
図１１は、第２の実施形態におけるサーバ装置の構成の一例を示すブロック図、図１２は、第２の実施形態におけるサーバ装置の変形例を示すブロック図、図１３は、第２の実施形態における処理の一例を示すフローチャートである。なお、以下の第２の実施形態（サーバ装置２００（サーバ主導型））の説明では、上述した実施形態と共通する構成、作用、効果については、重複した説明はできるだけ省略する。また、図１１は、第２の実施形態におけるサーバ装置２００の構成のうち主として本実施形態に関係する部分を概念的に示している。
【０１０２】
なお、第２の実施形態においては、サーバ装置２００側で統合ＢＩＭモデルを作成し、当該統合ＢＩＭモデルを端末装置１００へ送信している。このように、第２の実施形態は、サーバ装置２００にてサーバ主導で処理を行う点が、その他の実施形態と異なる。
【０１０３】
［サーバ装置２００（サーバ主導型）の構成］
まず、第２の実施形態におけるサーバ装置２００（サーバ主導型）の構成の一例について、図１１を参照して以下に説明する。
【０１０４】
図１１に示すように、第２の実施形態のサーバ装置２００は、出力部（表示部１１４及び音声出力部１１６）と入力部１１８と制御部１０２とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００及び端末装置１００の各部は任意の通信路を介して通信可能に接続されている。
【０１０５】
図１１において、サーバ装置２００は、端末装置１００から送信される作成条件に対応する昇降機のＢＩＭパーツを、記憶部２０６に記憶されたパーツ情報を用いて作成する機能を有する。そして、サーバ装置２００は、作成された昇降機のＢＩＭパーツを、記憶部２０６に記憶された建築物のＢＩＭモデルに組み込んだ統合ＢＩＭモデルを作成する機能を有する。そして、サーバ装置２００は、作成された統合ＢＩＭモデルを端末装置１００へ送信することにより、端末装置１００において、当該統合ＢＩＭモデルを含むレイアウト画面が表示部１１４に表示させる等の機能を有する。
【０１０６】
なお、サーバ装置２００における通信制御インターフェース部２０４及び記憶部２０６（パーツ情報記憶手段としてのパーツ情報データベース２０６ａ、ＢＩＭモデル記憶手段としてのＢＩＭモデルデータベース２０６ｂ、及び、オブジェクト情報記憶手段としてのオブジェクト情報データベース２０６ｃ等）の機能、また、端末装置１００における表示部１１４、音声出力部１１６、及び、入力部１１８の機能は、第１の実施形態と実質的に同様であるため説明を省略する。
【０１０７】
また、図１１において、制御部２０２は、ＯＳ等の制御プログラムや、各種の処理手順等を規定したプログラム、及び、所要データを格納するための内部メモリを有する。そして、制御部２０２は、これらのプログラム等により、種々の処理を実行するための情報処理を行う。制御部２０２は、機能概念的に、作成条件受信手段としての作成条件受信部２０２ａ、利用可能範囲設定手段としての利用可能範囲設定部２０２ｂ、昇降機モデリング手段としての昇降機モデリング部２０２ｃ、情報提供手段としての情報提供部２０２ｄを備える。さらに、制御部２０２は、機能概念的に、統合モデリング手段としての統合モデリング部２０２ｅ、経路生成手段としての経路生成部２０２ｆ、計画作成手段としての計画作成部２０２ｇ、検証手段としての検証部２０２ｈ、エラー出力手段としてのエラー出力部２０２ｉを備える。なお、作成条件受信部２０２ａ、利用可能範囲設定部２０２ｂ、及び、昇降機モデリング部２０２ｃの機能は、第１の実施形態と実質的に同様であるため説明を省略する。以下、説明を簡単にするため、統合モデリング部２０２ｅ〜エラー出力部２０２ｉを先に説明し、情報提供部２０２ｄを最後に説明する。
【０１０８】
このうち、統合モデリング部２０２ｅは、昇降機モデリング部２０２ｃにより作成された昇降機のＢＩＭパーツを、ＢＩＭモデルデータベース２０６ｂに記憶された建築物のＢＩＭモデルに組み込んだ統合ＢＩＭモデルを作成する。また、統合モデリング部２０２ｅは、昇降機のリニューアルに際し、リニューアル前の統合ＢＩＭモデルとリニューアル後の統合ＢＩＭモデルとを作成する。ここで、統合モデリング部２０２ｅは、作成した統合ＢＩＭモデルを記憶部２０６に格納して、統合ＢＩＭモデルデータベース（図示せず）を構築してもよい。
【０１０９】
また、経路生成部２０２ｆは、ＢＩＭモデルデータベース２０６ｂに記憶された建築物のＢＩＭモデル、及び、昇降機モデリング部２０２ｃにより作成されたリニューアル前後の昇降機のＢＩＭパーツに基づいて、リニューアル前後の昇降機のＢＩＭパーツの搬出経路、搬入経路を生成する。
【０１１０】
また、計画作成部２０２ｇは、ＢＩＭモデルデータベース２０６ｂに記憶された建築物のＢＩＭモデル、及び、昇降機モデリング部２０２ｃにより作成されたリニューアル前後の昇降機のＢＩＭパーツに基づいて、リニューアルする際のリニューアル工事計画を作成する。
【０１１１】
また、検証部２０２ｈは、ＢＩＭモデルデータベース２０６ｂに記憶された建築物のＢＩＭモデル、及び、昇降機モデリング部２０２ｃにより作成されたリニューアル前後の昇降機のＢＩＭパーツに基づいて、リニューアルする際の注意箇所を検証する。
【０１１２】
また、エラー出力部２０２ｉは、統合モデリング部２０２ｅが統合ＢＩＭモデルを作成できない場合等に、エラー情報を生成し、当該エラー情報を端末装置１００へ送信することで出力する。
【０１１３】
また、情報提供部２０２ｄは、統合モデリング部２０２ｅにより作成されたリニューアル前後の統合ＢＩＭモデルを端末装置１００へ送信する。また、情報提供部２０２ｄは、必要に応じて、昇降機モデリング部２０２ｃにより作成された昇降機のＢＩＭパーツ、経路生成部２０２ｆにより生成された搬出経路、搬入経路を、統合ＢＩＭモデルとともに送信してもよい。また、情報提供部２０２ｄは、必要に応じて、計画作成部２０２ｇにより作成されたリニューアル工事計画、検証部２０２ｈにより検証された注意箇所、エラー出力部２０２ｉにより出力されたエラー情報を、統合ＢＩＭモデルとともに送信してもよい。ここでは、情報提供部２０２ｄは、統合ＢＩＭモデルの情報、必要に応じてＢＩＭパーツの情報、搬出経路、搬入経路の情報、リニューアル工事計画の情報、注意箇所の情報、エラー情報を含むＢＩＭ情報を生成し、生成されたＢＩＭ情報を端末装置１００へ送信する。また、情報提供部２０２ｄは、必要に応じて、さらにパーツ情報データベース２０６ａに記憶されているパーツ情報、ＢＩＭモデルデータベース２０６ｂに記憶されているＢＩＭモデルの構造情報、オブジェクト情報データベース２０６ｃに記憶されているオブジェクト情報を含むＢＩＭ情報を生成し、生成されたＢＩＭ情報を端末装置１００へ送信する。
【０１１４】
以上で、第２の実施形態におけるサーバ装置２００の構成の一例の説明を終える。
【０１１５】
なお、図１１において、端末装置１００の制御部１０２は、図示しないが第１の実施形態と同様に、作成条件送信手段、画面生成手段、画面表示手段、動作解析手段、変更手段を備えている。第２の実施形態では、端末装置１００が備える画面生成手段がサーバ装置２００から受信したリニューアル前後の統合ＢＩＭモデル、搬出経路、搬入経路、リニューアル工事計画、注意箇所等を含むレイアウト画面を生成する点、動作解析部１０２ｅがサーバ装置２００から受信した各種情報に基づいてレイアウト画面上で昇降機のＢＩＭパーツの動作をシミュレーションする点を除き、各手段の機能は第１の実施形態と実質的に同様であるため説明を省略する。また、サーバ装置２００は、図１２の変形例に示すように、ＢＩＭモデルデータベース２０６ｂ及びこれに関する制御を行う制御部（不図示）等を備える建築ＢＩＭサーバ２００Ａと、パーツ情報データベース２０６ａ及びこれに関する制御を行う制御部（不図示）等を備える昇降機ＢＩＭサーバ２００Ｂとが別個に構成され、これらが通信可能に接続されて構成されてもよい。また、パーツ情報データベース２０６ａは、昇降機の機種単位のパーツ情報を記憶するパーツ情報データベース（全体）２０６ａａと、昇降機のユニット単位、構成部品単位のパーツ情報を記憶するパーツ情報データベース（ユニット、部品）２０６ａｂとが別個に構成されていてもよい。
【０１１６】
［サーバ装置２００（サーバ主導型）の処理］
次に、このように構成された第２の実施形態におけるサーバ装置２００の処理の一例について、以下に図１３を参照して詳細に説明する。図１３は、第２の実施形態におけるサーバ装置２００の処理の一例を示すフローチャートである。
【０１１７】
図１３に示すように、端末装置１００の制御部１０２は、サーバ装置２００にアクセス可能かを判定した後、可能であれば利用者により入力される作成条件をサーバ装置２００へ送信する（ステップＳＢ−１）。ここでは、作成条件は、例えば、利用者が所望する昇降機の仕様を示す条件のほか、希望の価格、納期、利用者の嗜好性、識別情報、リニューアル工事に関する条件等の条件を含んでいる。ここでは、作成条件は、さらに、機種、色、素材等の条件を含んでいる。
【０１１８】
そして、サーバ装置２００の作成条件受信部２０２ａは、ステップＳＢ−１にて作成条件送信部１０２ａの処理により送信される作成条件を受信する（ステップＳＢ−２）。
【０１１９】
そして、サーバ装置２００の利用可能範囲設定部２０２ｂは、ステップＳＢ−２にて作成条件受信部２０２ａの処理により受信された作成条件に含まれる識別情報に応じて、利用可能であるパーツ情報データベース２０６ａに記憶されたパーツ情報の範囲を設定する（ステップＳＢ−３）。
【０１２０】
そして、サーバ装置２００の昇降機モデリング部２０２ｃは、ステップＳＢ−２にて作成条件受信部２０２ａの処理により受信された作成条件に対応する昇降機のＢＩＭパーツを、パーツ情報データベース２０６ａに記憶されたパーツ情報を用いて作成する（ステップＳＢ−４）。このとき、昇降機モデリング部２０２ｃは、ステップＳＢ−３にて利用可能範囲設定部２０２ｂの処理により設定された利用可能範囲内のパーツ情報を用いてリニューアル前の昇降機のＢＩＭパーツ及びリニューアル後の昇降機のＢＩＭパーツを作成する。
【０１２１】
そして、サーバ装置２００の統合モデリング部２０２ｅは、ステップＳＢ−４にて昇降機モデリング部２０２ｃの処理により作成されたリニューアル後の昇降機のＢＩＭパーツが、ＢＩＭモデルデータベース２０６ｂに記憶された建築物のＢＩＭモデルの所定の設置位置に合致するか否かを判定する（ステップＳＢ−５）。
【０１２２】
サーバ装置２００のエラー出力部２０２ｉは、ステップＳＢ−５にて統合モデリング部２０２ｅの処理によりリニューアル後の昇降機のＢＩＭパーツが建築物のＢＩＭモデルの所定の設置位置に合致しないと判定された場合（ステップＳＢ−５：Ｎｏ）、エラー情報を生成し（ステップＳＢ−６）、処理をステップＳＢ−１１に移行させる。
【０１２３】
サーバ装置２００の統合モデリング部２０２ｅは、ステップＳＢ−５での処理によりリニューアル後の昇降機のＢＩＭパーツが建築物のＢＩＭモデルの所定の設置位置に合致すると判定した場合（ステップＳＢ−５：Ｙｅｓ）、統合ＢＩＭモデルを作成する（ステップＳＢ−７）。すなわち、統合モデリング部２０２ｅは、ステップＳＢ−４にて処理により昇降機モデリング部２０２ｃにより生成されたリニューアル前後の昇降機のＢＩＭパーツを、ＢＩＭモデルデータベース２０６ｂに記憶された建築物のＢＩＭモデルに組み込んだリニューアル前後の統合ＢＩＭモデルを作成する。
【０１２４】
そして、サーバ装置２００の経路生成部２０２ｆは、ＢＩＭモデルデータベース２０６ｂに記憶された建築物のＢＩＭモデル、及び、上記リニューアル前後の昇降機のＢＩＭパーツに基づいて、昇降機のＢＩＭパーツの搬出・搬入経路を生成する（ステップＳＢ−８）。
【０１２５】
そして、サーバ装置２００の検証部２０２ｈは、ＢＩＭモデルデータベース２０６ｂに記憶された建築物のＢＩＭモデル、及び、上記リニューアル前後の昇降機のＢＩＭパーツに基づいて、リニューアルする際の注意箇所を検証する（ステップＳＢ−９）。
【０１２６】
そして、サーバ装置２００の計画作成部２０２ｇは、ＢＩＭモデルデータベース２０６ｂに記憶された建築物のＢＩＭモデル、及び、上記リニューアル前後の昇降機のＢＩＭパーツに基づいて、リニューアルする際のリニューアル工事計画を作成する（ステップＳＢ−１０）。
【０１２７】
そして、サーバ装置２００の情報提供部２０２ｄは、ステップＳＢ−６にてエラー出力部２０２ｉの処理により出力されたエラー情報、又は、ステップＳＢ−７にて昇降機モデリング部２０２ｃの処理により作成されたリニューアル前後の統合ＢＩＭモデルの情報を含むＢＩＭ情報を生成する（ステップＳＢ−１１）。情報提供部２０２ｄは、必要に応じてさらにステップＳＢ−８にて経路生成部２０２ｆの処理により生成された搬出経路、搬入経路の情報、ステップＳＢ−９にて検証部２０２ｈの処理により検証された注意箇所の情報ステップＳＢ−１０にて計画作成部２０２ｇの処理により作成されたリニューアル工事計画の情報を含むＢＩＭ情報を生成する。情報提供部２０２ｄは、必要に応じてさらにパーツ情報データベース２０６ａに記憶されているパーツ情報、ＢＩＭモデルデータベース２０６ｂに記憶されているＢＩＭモデルの構造情報、オブジェクト情報データベース２０６ｃに記憶されているオブジェクト情報を含むＢＩＭ情報を生成する。
【０１２８】
そして、サーバ装置２００の情報提供部２０２ｄは、ステップＳＢ−１１での処理により作成したＢＩＭ情報を端末装置１００へ送信する（ステップＳＢ−１２）。
【０１２９】
そして、端末装置１００の制御部１０２は、ステップＳＢ−１２にて情報提供部２０２ｄの処理により送信されたＢＩＭ情報を受信する（ステップＳＢ−１３）。
【０１３０】
そして、端末装置１００の制御部１０２は、ステップＳＢ−１３にて制御部１０２の処理により受信されたＢＩＭ情報に基づいてエラーがないか否かを判定する（ステップＳＢ−１４）。
【０１３１】
そして、端末装置１００の制御部１０２は、ステップＳＢ−１４での処理によりエラーがあると判定した場合（ステップＳＢ−１４：Ｎｏ）、ステップＳＢ−１３にて制御部１０２の処理により受信されたＢＩＭ情報に含まれるエラー情報に基づいて、表示部１１４を介してエラー表示を行い（ステップＳＢ−１５）、処理をステップＳＢ−１に移行させる。
【０１３２】
そして、端末装置１００の制御部１０２は、ステップＳＢ−１４での処理によりエラーがないと判定した場合（ステップＳＢ−１４：Ｙｅｓ）、ステップＳＢ−１３にて制御部１０２の処理により受信されたＢＩＭ情報に基づいてレイアウト画面を生成する（ステップＳＢ−１６）。
【０１３３】
そして、端末装置１００の制御部１０２は、ステップＳＢ−１６にて制御部１０２の処理により生成されたレイアウト画面を表示部１１４に表示させる（ステップＳＢ−１７）。例えば、制御部１０２は、上述した図５、図６に例示すようなレイアウト画面を表示部１１４に表示させる。
【０１３４】
そして、端末装置１００の制御部１０２は、ステップＳＢ−１７にて画面表示部１０２ｄの処理により表示されたレイアウト画面上で昇降機のＢＩＭパーツの動作をシミュレーションする（ステップＳＢ−１８）。この場合、制御部１０２は、ステップＳＢ−１３にて制御部１０２の処理により受信されたＢＩＭ情報に含まれるオブジェクト情報等の各種情報に基づいてＢＩＭパーツの動作をシミュレーションする。
【０１３５】
そして、端末装置１００の制御部１０２は、利用者の入力に応じて変更があるか否かを判定する（ステップＳＢ−１９）。
【０１３６】
端末装置１００の制御部１０２は、ステップＳＢ−１９での処理により変更があると判定した場合（ステップＳＢ−１９：Ｙｅｓ）、処理をステップＳＢ−１に移行させる。端末装置１００の制御部１０２は、ステップＳＢ−１９にて制御部１０２の処理により変更がないと判定された場合（ステップＳＢ−１９：Ｎｏ）、この処理を終了する。
【０１３７】
以上で、第２の実施形態におけるサーバ装置２００の処理の一例の説明を終える。
【０１３８】
［第３の実施形態］
図１４は、第３の実施形態におけるＢＩＭ装置の構成の一例を示すブロック図、図１５は、第３の実施形態における処理の一例を示すフローチャートである。なお、以下の第３の実施形態（ＢＩＭ装置４００（スタンドアロン型））の説明では、上述した実施形態と共通する構成、作用、効果については、重複した説明はできるだけ省略する。また、図１４は、第３の実施形態におけるＢＩＭ装置４００の構成のうち主として本実施形態に関係する部分を概念的に示している。
【０１３９】
なお、第３の実施形態のＢＩＭシステムにおいては、全ての機能をＢＩＭ装置４００に集約し、ＢＩＭ装置４００は、利用者により入力される作成条件に対応するＢＩＭパーツを、記憶部４０６に記憶されたパーツ情報を用いて作成する機能を有する。そして、ＢＩＭ装置４００は、作成されたＢＩＭパーツを記憶部４０６に記憶されたＢＩＭモデルに組み込んだ統合ＢＩＭモデルを作成する機能を有する。そして、ＢＩＭ装置４００は、作成された統合ＢＩＭモデルを含むレイアウト画面を生成し、生成されたレイアウト画面を表示部４１４に表示させる等の機能を有する。このように、第３の実施形態は、ＢＩＭ装置４００がスタンドアロン型に構成され単独で処理を行う点がその他の実施形態と異なる。
【０１４０】
［ＢＩＭ装置４００（スタンドアロン型）の構成］
まず、第３の実施形態におけるＢＩＭ装置４００（スタンドアロン型）の構成の一例について、図１４を参照して以下に説明する。
【０１４１】
図１４に示すように、第３の実施形態のＢＩＭ装置４００は、出力部（表示部４１４及び音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【０１４２】
図１４において、入出力制御インターフェース部４０８、表示部４１４、音声出力部４１６、及び、入力部４１８の各機能は、第１の実施形態と実質的に同様であるため説明を省略する。また、記憶部４０６の各部（パーツ情報記憶手段としてのパーツ情報データベース４０６ａ、ＢＩＭモデル記憶手段としてのＢＩＭモデルデータベース４０６ｂ、及び、オブジェクト情報記憶手段としてのオブジェクト情報データベース４０６ｃ等）についても、サーバ装置２００ではなくＢＩＭ装置４００に備えられている点を除き、各機能が第１の実施形態と実質的に同様であるため説明を省略する。
【０１４３】
また、制御部４０２の各部については、本実施形態のＢＩＭ装置４００がスタンドアロン型であり、制御部４０２が各送信部を備えていない点を除き、各機能は第１の実施形態と基本的に同様である。
【０１４４】
また、図１４において、制御部４０２は、ＯＳ等の制御プログラムや、各種の処理手順等を規定したプログラム、及び、所要データを格納するための内部メモリを有する。そして、制御部４０２は、これらのプログラム等により、種々の処理を実行するための情報処理を行う。制御部４０２は、機能概念的に、作成条件設定としての作成条件設定部４０２ａ、利用可能範囲設定手段としての利用可能範囲設定部４０２ｂ、昇降機モデリング手段としての昇降機モデリング部４０２ｃ、統合モデリング手段としての統合モデリング部４０２ｄを備える。さらに、制御部４０２は、機能概念的に、画面生成手段としての画面生成部４０２ｅ、画面表示手段としての画面表示部４０２ｆ、動作解析手段としての動作解析部４０２ｇ、変更手段としての変更部４０２ｈ、経路生成手段としての経路生成部４０２ｉ、計画作成手段としての計画作成部４０２ｊ、検証手段としての検証部４０２ｋ、エラー出力手段としてのエラー出力部４０２ｌを備える。
【０１４５】
このうち、作成条件設定部４０２ａは、利用者により入力される作成条件を設定する作成条件設定手段である。ここで、作成条件は、利用者により入力部４１８を介して入力されたものであってもよいし、予め作成条件が記憶された外部記憶装置（図示せず）から読み込まれたものであってもよい。
【０１４６】
また、利用可能範囲設定部４０２ｂは、作成条件設定部４０２ａによる設定される作成条件に含まれる識別情報に応じて、利用可能であるパーツ情報データベース４０６ａに記憶されたパーツ情報の範囲を設定する。
【０１４７】
また、昇降機モデリング部４０２ｃは、作成条件設定部４０２ａにより設定された作成条件に対応する昇降機のＢＩＭパーツを、パーツ情報データベース４０６ａに記憶されたパーツ情報を用いて作成する。ここで、昇降機モデリング部４０２ｃは、利用可能範囲設定部４０２ｂによって設定された利用可能範囲内のパーツ情報を用いてＢＩＭパーツを作成する。また、昇降機モデリング部４０２ｃは、作成条件設定部４０２ａにより設定された作成条件に基づいたリニューアル工事に関する条件等に対応するリニューアル前後の昇降機のＢＩＭパーツを、パーツ情報データベース４０６ａに記憶されたパーツ情報を用いて作成する。ここで、昇降機モデリング部４０２ｃは、作成した昇降機のＢＩＭパーツを記憶部４０６に格納して、ＢＩＭパーツデータベース（図示せず）を構築してもよい。
【０１４８】
また、統合モデリング部４０２ｄは、昇降機モデリング部４０２ｃにより作成された昇降機のＢＩＭパーツを、ＢＩＭモデルデータベース４０６ｂに記憶された建築物のＢＩＭモデルに組み込んだ統合ＢＩＭモデルを作成する。また、統合モデリング部４０２ｄは、昇降機のリニューアルに際し、リニューアル前の統合ＢＩＭモデルとリニューアル後の統合ＢＩＭモデルとを作成する。ここで、統合モデリング部４０２ｄは、作成した統合ＢＩＭモデルを記憶部２０６に格納して、統合ＢＩＭモデルデータベース（図示せず）を構築してもよい。
【０１４９】
また、画面生成部４０２ｅは、統合モデリング部４０２ｄにより作成された統合ＢＩＭモデルを含むレイアウト画面を生成する。ここでまた、画面生成部４０２ｅは、後述の変更部４０２ｈにより変更された昇降機のＢＩＭパーツを含むレイアウト画面を生成してもよい。画面生成部４０２ｅは、後述の経路生成部４０２ｉにより生成された搬出経路、搬入経路を含むレイアウト画面を生成してもよい。また、画面生成部４０２ｅは、後述の計画作成部４０２ｊにより作成されたリニューアル工事企画を含むレイアウト画面を生成してもよい。また、画面生成部４０２ｅは、後述の検証部４０２ｋにより検証された注意箇所を含むレイアウト画面を生成してもよい。
【０１５０】
また、画面表示部４０２ｆは、画面生成部４０２ｅにより生成されたレイアウト画面を表示部１１４に表示させる。
【０１５１】
また、動作解析部４０２ｇは、画面表示部４０２ｆにより表示されたレイアウト画面上で昇降機のＢＩＭパーツの動作をシミュレーションする。
【０１５２】
また、変更部４０２ｈは、画面表示部４０２ｆにより表示されたレイアウト画面上でＢＩＭパーツを変更する。
【０１５３】
また、経路生成部４０２ｉは、ＢＩＭモデルデータベース４０６ｂに記憶された建築物のＢＩＭモデル、及び、昇降機モデリング部４０２ｃにより作成されたリニューアル前後の昇降機のＢＩＭパーツに基づいて、リニューアル前後の昇降機のＢＩＭパーツの搬出経路、搬入経路を生成する。
【０１５４】
また、計画作成部４０２ｊは、ＢＩＭモデルデータベース４０６ｂに記憶された建築物のＢＩＭモデル、及び、昇降機モデリング部４０２ｃにより作成されたリニューアル前後の昇降機のＢＩＭパーツに基づいて、リニューアルする際のリニューアル工事計画を作成する。
【０１５５】
また、検証部４０２ｋは、ＢＩＭモデルデータベース４０６ｂに記憶された建築物のＢＩＭモデル、及び、昇降機モデリング部４０２ｃにより作成されたリニューアル前後の昇降機のＢＩＭパーツに基づいて、リニューアルする際の注意箇所を検証する。
【０１５６】
また、エラー出力部４０２ｌは、統合モデリング部４０２ｄが統合ＢＩＭモデルを作成できない場合等に、エラー情報を生成し出力する。
【０１５７】
以上で、第３の実施形態におけるＢＩＭ装置４００の構成の一例の説明を終える。
【０１５８】
［ＢＩＭ装置４００（スタンドアロン型）の処理］
次に、このように構成された第３の実施形態におけるＢＩＭ装置４００の処理の一例について、以下に図１５を参照して詳細に説明する。図１５は、第３の実施形態におけるＢＩＭ装置４００の処理の一例を示すフローチャートである。
【０１５９】
図１５に示すように、まず、作成条件設定部４０２ａは、利用者により入力される作成条件を設定する（ステップＳＣ−１）。
【０１６０】
そして、利用可能範囲設定部４０２ｂは、ステップＳＣ−１にて作成条件設定部４０２ａの処理により設定された作成条件に含まれる識別情報に応じて、利用可能であるパーツ情報データベース４０６ａに記憶されたパーツ情報の範囲を設定する（ステップＳＣ−２）。
【０１６１】
そして、昇降機モデリング部４０２ｃは、ステップＳＣ−１にて作成条件設定部４０２ａの処理により設定された作成条件に対応する昇降機のＢＩＭパーツを、パーツ情報データベース４０６ａに記憶されたパーツ情報を用いて作成する（ステップＳＣ−３）。このとき、昇降機モデリング部４０２ｃは、ステップＳＣ−２にて利用可能範囲設定部４０２ｂの処理により設定された利用可能範囲内のパーツ情報を用いてリニューアル前の昇降機のＢＩＭパーツ及びリニューアル後の昇降機のＢＩＭパーツを作成する。
【０１６２】
そして、統合モデリング部４０２ｄは、ステップＳＣ−３にて昇降機モデリング部４０２ｃの処理により作成されたリニューアル後の昇降機のＢＩＭパーツの中から利用者の入力に応じて、ＢＩＭモデルに組み込む機種を選択する（ステップＳＣ−４）。
【０１６３】
そして、統合モデリング部４０２ｄは、ステップＳＣ−４での処理により選択された機種のＢＩＭパーツに対して、利用者の入力に応じて色・素材等を選択する（ステップＳＣ−５）。
【０１６４】
そして、統合モデリング部４０２ｄは、ステップＳＣ−５での処理により選択されたリニューアル後の昇降機のＢＩＭパーツが、ＢＩＭモデルデータベース４０６ｂに記憶された建築物のＢＩＭモデルの所定の設置位置に合致するか否かを判定する（ステップＳＣ−６）。
【０１６５】
エラー出力部４０２ｌは、ステップＳＣ−６にて統合モデリング部４０２ｄの処理によりリニューアル後の昇降機のＢＩＭパーツが建築物のＢＩＭモデルの所定の設置位置に合致しないと判定された場合（ステップＳＣ−６：Ｎｏ）、エラー情報を生成、出力し（ステップＳＣ−７）、処理をステップＳＣ−４に移行させる。
【０１６６】
統合モデリング部４０２ｄは、ステップＳＣ−６での処理によりリニューアル後の昇降機のＢＩＭパーツが建築物のＢＩＭモデルの所定の設置位置に合致すると判定した場合（ステップＳＣ−６：Ｙｅｓ）、統合ＢＩＭモデルを作成する（ステップＳＣ−８）。すなわち、統合モデリング部４０２ｄは、ステップＳＣ−５での処理により選択されたリニューアル前後の昇降機のＢＩＭパーツを、ＢＩＭモデルデータベース４０６ｂに記憶された建築物のＢＩＭモデルに組み込んだリニューアル前後の統合ＢＩＭモデルを作成する。
【０１６７】
そして、経路生成部４０２ｉは、ＢＩＭモデルデータベース４０６ｂに記憶された建築物のＢＩＭモデル、及び、上記リニューアル前後の昇降機のＢＩＭパーツに基づいて、昇降機のＢＩＭパーツの搬出・搬入経路を生成する（ステップＳＣ−９）。
【０１６８】
そして、サーバ装置２００の検証部４０２ｋは、ＢＩＭモデルデータベース４０６ｂに記憶された建築物のＢＩＭモデル、及び、上記リニューアル前後の昇降機のＢＩＭパーツに基づいて、リニューアルする際の注意箇所を検証する（ステップＳＣ−１０）。
【０１６９】
そして、計画作成部４０２ｊは、ＢＩＭモデルデータベース４０６ｂに記憶された建築物のＢＩＭモデル、及び、上記リニューアル前後の昇降機のＢＩＭパーツに基づいて、リニューアルする際のリニューアル工事計画を作成する（ステップＳＣ−１１）。
【０１７０】
画面生成部４０２ｅは、レイアウト画面を生成する（ステップＳＣ−１２）。画面生成部４０２ｅは、ステップＳＣ−８にて統合モデリング部４０２ｄの処理により作成されたリニューアル前後の統合ＢＩＭモデル、ステップＳＣ−９にて経路生成部４０２ｉの処理により生成された搬出・搬入経路、ステップＳＣ−１０にて検証部４０２ｋの処理により検証された注意箇所、ステップＳＣ−１１にて計画作成部４０２ｊの処理により作成されたリニューアル工事計画に基づいたレイアウト画面を生成する。
【０１７１】
そして、画面表示部４０２ｆは、ステップＳＣ−１２にて画面生成部４０２ｅの処理により生成されたレイアウト画面を表示部４１４に表示させる（ステップＳＣ−１３）。例えば、画面表示部４０２ｆは、上述した図５、図６に例示すようなレイアウト画面を表示部４１４に表示させる。
【０１７２】
そして、動作解析部４０２ｇは、ステップＳＣ−１３にて画面表示部４０２ｆの処理により表示されたレイアウト画面上で昇降機のＢＩＭパーツの動作をシミュレーションする（ステップＳＣ−１４）。
【０１７３】
そして、変更部４０２ｈは、利用者の入力に応じて変更があるか否かを判定する（ステップＳＣ−１５）。
【０１７４】
変更部４０２ｈは、ステップＳＣ−１５での処理により変更があると判定した場合（ステップＳＣ−１５：Ｙｅｓ）、処理をステップＳＣ−４に移行させる。制御部４０２は、ステップＳＣ−１５にて変更部４０２ｈの処理により変更がないと判定された場合（ステップＳＣ−１５：Ｎｏ）、この処理を終了する。
【０１７５】
以上で、第３の実施形態におけるＢＩＭ装置４００の処理の一例の説明を終える。
【０１７６】
このように、上述した第１〜第３の実施形態によれば、利用者により入力される作成条件に対応するＢＩＭパーツをパーツ情報を用いて作成し、作成されたＢＩＭパーツをＢＩＭモデルに組み込んだ統合ＢＩＭモデルを作成する。そして、第１〜第３の実施形態によれば、作成された統合ＢＩＭモデルを含むレイアウト画面を生成し、生成されたレイアウト画面を表示させる。よって、第１〜第３の実施形態によれば、利用者が昇降機の設備計画を提案する際、建築物に昇降機を組み込んだ状態を視覚的に分かりやすく表示することができる。また、利用者は、昇降機を設置する建築物の設計段階から施工、竣工後、リニューアル（改修）時等の全体を通したシミュレーションを行うことができる。これにより、利用者は、昇降機を設置する建築物の設計において、全体的な管理及び確認を行えるので、客先の要望をより良く反映した提案が容易となる。その結果、本実施形態によれば、利用者は、打合せ時間の短縮ができ、不具合発生率の低減もでき、更に、再製作時等のコストを抑制することができる。
【０１７７】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１７８】
例えば、上述の実施形態は、昇降機としてエレベータを例について説明したが、エスカレータ、動く歩道等の乗客コンベアについても同様に適用できる。
【０１７９】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１８０】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１８１】
また、端末装置１００、サーバ装置２００、及び、ＢＩＭ装置４００に関して、図示の各構成要素は機能概念的なものであり、必ずしも物理的に図示の如く構成されていることを要しない。
【０１８２】
例えば、端末装置１００、サーバ装置２００、及び、ＢＩＭ装置４００の各装置が備える処理機能、特に制御部１０２、制御部２０２、及び、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）及び当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、サーバ装置２００、及び、ＢＩＭ装置４００に機械的に読み取られる。すなわち、ＲＯＭまたはＨＤＤなどの記憶部１０６、記憶部２０６、及び、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１８３】
また、このコンピュータプログラムは、端末装置１００、サーバ装置２００、及び、ＢＩＭ装置４００に対して任意のネットワーク３００を介して接続されたアプリケーションプログラムサーバに記憶されていてもよく、必要に応じてその全部または一部をダウンロードすることも可能である。
【０１８４】
また、プログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、及び、Ｂｌｕ−ｒａｙ  Ｄｉｓｃ等の任意の「可搬用の物理媒体」を含むものとする。
【０１８５】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１８６】
記憶部１０６、記憶部２０６、及び、記憶部４０６に格納される各種のデータベース等（ＢＩＭモデルデータベース１０６ａ、オブジェクト情報データベース１０６ｂ、パーツ情報データベース２０６ａ、ＢＩＭモデルデータベース２０６ｂ、オブジェクト情報データベース２０６ｃ、パーツ情報データベース４０６ａ、ＢＩＭモデルデータベース４０６ｂ、及び、オブジェクト情報データベース４０６ｃ）は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【０１８７】
また、端末装置１００、サーバ装置２００、及び、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、及び、ＢＩＭ装置４００は、該情報処理装置に本実施形態の方法を実現させるソフトウェア（プログラム、データ等を含む）を実装することにより実現してもよい。
【０１８８】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１８９】
以上で説明した実施形態、変形例に係るＢＩＭシステム、サーバ装置、端末装置、方法及びプログラムによれば、昇降機の設備計画を提案する際、建築物に昇降機を組み込んだ状態を視覚的に分かりやすく表示することができる。
【符号の説明】
【０１９０】
１００  端末装置
１０２  制御部
１０２ａ  作成条件送信部
１０２ｂ  統合モデリング部
１０２ｃ  画面生成部
１０２ｄ  画面表示部
１０２ｅ  動作解析部
１０２ｆ  変更部
１０２ｇ  経路生成部
１０２ｈ  計画作成部
１０２ｉ  検証部
１０２ｊ  エラー出力部
１０４  通信制御インターフェース部
１０６  記憶部
１０６ａ  ＢＩＭモデルデータベース
１０６ｂ  オブジェクト情報データベース
１０８  入出力制御インターフェース部
１１４  表示部
１１６  音声出力部
１１８  入力部
２００  サーバ装置
２０２  制御部
２０２ａ  作成条件受信部
２０２ｂ  利用可能範囲設定部
２０２ｃ  昇降機モデリング部
２０２ｄ  情報提供部
２０２ｅ  統合モデリング部
２０２ｆ  経路生成部
２０２ｇ  計画作成部
２０２ｈ  検証部
２０２ｉ  エラー出力部
２０４  通信制御インターフェース部
２０６  記憶部
２０６ａ  パーツ情報データベース
２０６ｂ  ＢＩＭモデルデータベース
２０６ｃ  オブジェクト情報データベース
３００  ネットワーク
４００  ＢＩＭ装置（ＢＩＭシステム）
４０２  制御部
４０２ａ  作成条件設定部
４０２ｂ  利用可能範囲設定部
４０２ｃ  昇降機モデリング部
４０２ｄ  統合モデリング部
４０２ｅ  画面生成部
４０２ｆ  画面表示部
４０２ｇ  動作解析部
４０２ｈ  変更部
４０２ｉ  経路生成部
４０２ｊ  計画作成部
４０２ｋ  検証部
４０２ｌ  エラー出力部
４０６  記憶部
４０６ａ  パーツ情報データベース
４０６ｂ  ＢＩＭモデルデータベース
４０６ｃ  オブジェクト情報データベース
４０８  入出力制御インターフェース部
４１４  表示部
４１６  音声出力部
４１８  入力部
【図１】
2014010635.tif 000003
【図２】
2014010635.tif 000004
【図３】
2014010635.tif 000005
【図４】
2014010635.tif 000006
【図５】
2014010635.tif 000007
【図６】
2014010635.tif 000008
【図７】
2014010635.tif 000009
【図８】
2014010635.tif 000010
【図９】
2014010635.tif 000011
【図１０】
2014010635.tif 000012
【図１１】
2014010635.tif 000013
【図１２】
2014010635.tif 000014
【図１３】
2014010635.tif 000015
【図１４】
2014010635.tif 000016
【図１５】
2014010635.tif 000017